(57)【要約】  生成造形工程を用いて製造される構成要素１６を粒子材料充填物１８から開包するための方法が開示される。該方法において、下方で開口する垂直周壁構造体２２を有する補助フレーム２０が造形ボックス１０の垂直周壁構造体１２の上側に配置される。また、造形ボックス１０の造形プラットフォーム１４が上方へ移動され、それにより、構成要素１６を含む粒子材料充填物１８が造形ボックス１０から補助フレーム２０へ移送される。加えて、構成要素を含む粒子材料充填物１８を伴う補助フレーム２０と造形ボックス１０とが互いに離間され、構成要素１６が、粒子材料充填物１８から少なくとも部分的に開包されるとともに、補助フレーム２０から除去される。【選択図】  図１ｂ
2017536259.tif 000002
【特許請求の範囲】
【請求項１】
未固結粒子材料の粒子材料充填物（１８）から生成造形方法を用いて生成される構成要素（１６）を開包するための方法であって、前記充填物が前記構成要素と共に受け入れ空間内に配置され、前記受け入れ空間は、造形ボックス（１０）における上方向で開口する垂直周壁構造体（１２）によって外周が制限されており、高さ調整可能な造形プラットフォーム（１４）が前記造形ボックス内に受けられ、前記造形プラットフォーム上には前記構成要素を含む前記粒子材料充填物が配置される、方法において、
下方で開口する垂直周壁構造体（２２）を有するとともに前記構成要素（１６）を含む前記粒子材料充填物（１８）を受けるように構成される補助フレーム（２０）が、前記造形ボックス（１０）の前記垂直周壁構造体（１２）の垂直上側に配置され、
前記造形プラットフォーム（１４）が上方へ移動され、それにより、前記構成要素（１６）を含む前記粒子材料充填物（１８）が前記造形ボックス（１０）から前記補助フレーム（２０）へ移送されて前記補助フレーム内に受けられ、
前記構成要素（１６）を含む前記粒子材料充填物（１８）を内部に受けた前記補助フレーム（２０）と前記造形ボックス（１０）とが互いに離間され、それにより、前記造形ボックスが後続の造形作業のために自由になり、
前記構成要素（１６）は、前記粒子材料充填物（１８）から少なくとも部分的に開包されて前記補助フレーム（２０）から除去される、
ことを特徴とする方法。
【請求項２】
プレート形状構造体、例えば多孔質プレート形状構造体（１５）が前記造形ボックス（１０）内で前記造形プラットフォーム（１４）と前記構成要素（１６）を含む前記粒子材料充填物（１８）との間に配置され、
前記プレート形状構造体は、その上に配置され前記構成要素（１６）を含む前記粒子材料充填物（１８）と一緒に、前記造形ボックス（１０）から前記補助フレーム（２０）へ移送されるとともに、前記粒子材料充填物（１８）及び前記補助フレーム（２０）と一緒に、例えば粒子材料収集装置（３０）の垂直上側の位置へ向けて、前記造形ボックス（１０）から相対的に離間される、請求項１に記載の方法。
【請求項３】
前記構成要素（１６）を含む前記粒子材料充填物（１８）を内部に受けた前記補助フレーム（２０）と前記造形ボックス（１０）とは、例えば、前記構成要素（１６）を含む前記粒子材料充填物（１８）を内部に受けた前記補助フレーム（２０）を、例えばガイド構造体（２４）に沿って、側方へ移動させることによって、互いに側方へ相対的に離間される、請求項１又は２に記載の方法。
【請求項４】
前記構成要素（１６）を含む前記粒子材料充填物（１８）を内部に受けた前記補助フレーム（２０）は、プレート形状構造体、例えば多孔質プレート形状構造体（１５’）の垂直上側に配置される、請求項３に記載の方法。
【請求項５】
前記プレート形状構造体は、粒子材料収集装置（３０）の上側に配置され、又は、
前記構成要素（１６）を含む前記粒子材料充填物（１８）を内部に受けた前記補助フレーム（２０）は、最初に前記プレート形状構造体の上に移動された後、前記プレート形状構造体と共に前記粒子材料収集装置（３０）の上に移動される、請求項４に記載の方法。
【請求項６】
前記補助フレーム（２０）からの粒子材料の排出を減らすために、前記補助フレーム（２０）と前記多孔質プレート形状構造体（１５’）との間の相対的な側方移動中に前記多孔質プレート形状構造体（１５’）の貫通穴が粒子材料で満たされ及び／又は覆われる、請求項４又は５に記載の方法。
【請求項７】
前記構成要素（１６）を含む前記粒子材料充填物（１８）は、前記粒子材料充填物からの前記構成要素の前記少なくとも部分的な開包中に、多孔質プレート形状構造体（１５，１５’）上、例えば、前記粒子材料収装置（３０）の上側に配置される、例えば請求項２〜６のいずれか一項に記載の多孔質プレート形状構造体上に配置される、請求項１〜６のいずれか一項に記載の方法。
【請求項８】
前記少なくとも部分的に開包された構成要素（１６）は、前記多孔質プレート形状構造体（１５，１５’）及び前記補助フレーム（２０）と共に構成要素移送ステーション（４０）へ移動され、この構成要素移送ステーションで前記構成要素及び前記多孔質プレート形状構造体が前記補助フレームから分離されるとともに、前記構成要素移送ステーションから前記構成要素が、例えば前記多孔質プレート形状構造体と共に、例えば構成要素ストック（５０）へ供給される、請求項７に記載の方法。
【請求項９】
前記造形ボックス（１０）は、工程の初めに粒子材料収集装置（３０）の隣の造形ボックス開包位置に配置され、前記補助フレーム（２０）は、ガイド構造体（２４）に沿って、前記造形ボックス開包位置から前記粒子材料収集装置へ移動でき／移動され、随意的に前記粒子材料収集装置を介して、請求項８に記載の移送ステーション（４０）へ移動でき／移動される、請求項１〜８のいずれか一項に記載の方法。
【請求項１０】
前記補助フレーム（２０）の前記垂直周壁構造体（２２）は、上方で更に開口し、及び／又は、
前記補助フレーム（２０）の前記垂直周壁構造体（２２）は、前記造形ボックス（１０）の前記垂直周壁構造体（１２）の高さ以上の高さを有し、及び／又は、
前記補助フレーム（２０）の前記垂直周壁構造体（２２）により制限される空間と前記造形ボックス（１０）の前記垂直周壁構造体（１２）により制限される空間とが水平断面で同じ形状及び／又は同じサイズを有し、及び／又は、
前記補助フレーム（２０）には、前記補助フレームが前記構成要素を含む前記粒子材料充填物を内部に受けた状態で前記造形ボックス（１０）に対して側方に移動される間に、上方に移動された前記造形プラットフォーム（１４）を清浄化するように構成される清浄化装置（２６）が設けられる、請求項１〜９のいずれか一項に記載の方法。
【請求項１１】
前記補助フレームを前記造形ボックスの前記垂直周壁構造体の上側に配置するステップ、及び／又は、前記造形プラットフォームを上方へ移動させるステップ、及び／又は、前記補助フレームと前記造形ボックスとを互いに離間させるステップ、及び／又は、前記構成要素を少なくとも部分的に開包するステップ、及び／又は、前記構成要素と前記補助フレームとを互いに除去するステップ、及び／又は、前記造形ボックスを粒子材料収集装置の隣の造形ボックス開包位置に最初に配置するステップ、及び／又は、前記開包された構成要素を前記多孔質プレート形状構造体及び前記補助フレームと共に構成要素移送ステーションへ移動させるステップ、及び／又は、前記構成要素及び前記多孔質プレート形状構造体を前記補助フレームから分離するステップ、及び／又は、前記開包された構成要素を構成要素ストックへ供給するステップが、自動化方式で行なわれる、請求項１〜１０のいずれか一項に記載の方法。
【請求項１２】
請求項１〜１１のいずれか一項に記載されるように製造される構成要素を開包するための方法と組み合わせて、生成造形工程を用いて１つ以上の構成要素（１６）を生成するための方法であって、
前記生成造形方法において、全ての前記構成要素（１６）は、平面視で、例えば単一の水平構成要素層を成して、前記造形ボックス（１０）により形成される造形空間内で互いに隣接して生成され、及び／又は、
前記構成要素（１６）若しくは前記構成要素のうちの１つ以上又は全部は、前記生成造形方法においてそれぞれの前記構成要素と共に形成されるそれぞれの支持構造体又は保持構造体を備え、それにより、前記構成要素を開包するとき、例えば未固結粒子材料が前記補助フレームから下方へ排出されるときに、それぞれの前記構成要素の損傷及び／又は前記構成要素による１つ以上の開口の被覆が回避される、
方法。
【請求項１３】
例えば請求項１〜１１のいずれか一項に記載されるように生成される構成要素を開包するための方法と組み合わせて、生成造形法を用いて１つ以上の構成要素（１６）を生成するための方法であって、前記１つ以上の構成要素は、可動造形ボックス（１０）における上方で開口する垂直周壁構造体（１２）により外周が制限される造形空間内で生成され、高さ調整可能な造形プラットフォーム（１４）が前記造形ボックス（１０）内に受けられ、前記造形プラットフォームは、前記造形法を使用して前記造形プラットフォームの上側で前記構成要素を含む粒子材料充填物（１８）を形成するために造形工程の過程で下降される、方法において、
前記造形工程の前にプレート形状構造体（１５）が前記可動造形ボックス（１０）の前記造形プラットフォーム（１４）上に配置され、前記プレート形状構造体は、例えば多孔質であるように構成されて、前記１つ以上の構成要素の生成後にこれらの構成要素の開包のために、前記造形プラットフォームを上方へ移動させることによって前記構成要素を含む前記粒子材料充填物と共に前記造形ボックスから除去され得るとともに、補助フレーム（２０）内へ移送され得ることを特徴とする方法。
【請求項１４】
未固結粒子材料の粒子材料充填物（１８）から生成造形方法を用いて生成される構成要素（１６）を開包するための装置（１００）であって、前記充填物が前記構成要素と共に受け入れ空間内に配置され、前記受け入れ空間は、可動造形ボックス（１０）における上方で開口する垂直周壁構造体（１２）によって外周が制限され、高さ調整可能な造形プラットフォーム（１４）が前記造形ボックス内に受けられ、前記造形プラットフォーム上には前記構成要素を含む前記粒子材料充填物が配置され、前記可動造形ボックスが造形ボックス開包位置に移動され得る、装置（１００）において、
下方で開口する垂直周壁構造体（２２）を有するとともに、第１の位置から第２の位置へガイド構造体（２４）に沿って移動できる補助フレーム（２０）であって、前記第１の位置では、前記可動造形ボックスの前記造形ボックス開包位置へ移動された前記可動造形ボックス（１０）の前記垂直周壁構造体（１２）の垂直上側に配置される、補助フレーム（２０）と、
前記補助フレームが前記第２の位置に配置されるときに前記補助フレーム（２０）の垂直下方に配置される粒子材料収集装置（３０）と、
を備える、装置（１００）。
【請求項１５】
構成要素移送ステーション（４０）であって、前記補助フレーム（２０）が前記ガイド構造体（２４）に沿って前記第１の位置から前記第２の位置を介して第３の位置へ移動でき、前記第３の位置で前記補助フレームが前記構成要素移送ステーションの垂直上側に配置される、構成要素移送ステーション（４０）、及び／又は、
請求項１〜１１のいずれか一項に記載の方法の１つ以上のステップ又は全てのステップを自動化方式で実行するように構成される制御装置、
を更に備える、請求項１４に記載の装置（１００）。
【発明の詳細な説明】
【技術分野】
【０００１】
本発明は、未固結粒子材料の粒子材料充填物／バルクから生成造形工程を用いて製造される構成要素を開包（unpacking：アンパック）するための方法及び装置に関し、充填物は、構成要素と共に受け入れ空間内に配置され、受け入れ空間は、造形ボックスにおける上方向で開口する垂直周壁構造体によって外周側が制限され、高さ調整可能な造形プラットフォームが造形ボックス内に受けられ、造形プラットフォーム上には構成要素を含む粒子材料充填物が配置される。
【背景技術】
【０００２】
生成されるべき構成要素が粒子材料／粉体材料から層状に造られる生成造形工程は多く存在する。粒子材料の個々の層は、例えば造形プラットフォームの全体／連続領域上に順々に塗布される。この際、それぞれの粒子材料層は、その所定の部分領域で選択的に凝固され、それにより、構成要素は、上下に位置して少なくとも一部が重なり合う選択的に凝固された部分領域から造られる場合がある。これに関し、製造は、冒頭に記載されるように構成される造形ボックス内で行なわれてもよく、造形ボックスの垂直周壁構造体は、造形ボックスが構成要素を造るために関連する３Ｄプリンタ内に配置されるときに、造形プラットフォームの上側に、いわゆる造形空間を画定する。
【０００３】
生成造形方法の例は、例えば、（例えば、多成分結合剤の結合剤成分の）結合剤の選択的な印刷又は選択的レーザ焼結である。生成造形法（又は層状生成法）は、いわゆるラピッドプロトタイピングに加えて、例えば、いわゆるラピッドツーリング又はいわゆるラピッドマニュファクチャリングを含む。
【０００４】
生成されるべき構成要素は、例えば、金型又は鋳造コアであってもよい。粒子材料は例えば砂であってもよい。しかしながら、他の粒子材料が使用されてもよく、また、他の構成要素がそれぞれの生成造形方法を用いて生成されてもよいことが理解されるべきである。
【０００５】
そのような粉体ベース構成要素の層状の生成において、生成されるべき対象物は、造形工程中に、それぞれの層の選択的凝固の結果として、緩い未凝固粒子材料中に埋め込まれる。言い換えると、造形工程の終わりに向けて、（少なくとも１つの）構成要素が緩い未凝固粒子材料の粒子材料充填物によって（少なくとも部分的に）取り囲まれる。
【０００６】
これは、製造されている間において緩い未凝固粒子材料によって構成要素が支持されるため、有益な場合がある。しかしながら、製造工程後、構成要素は、粒子材料充填物から除去されなければならず、又は、緩い未固結粒子材料から分離されなければならない。これは、構成要素のいわゆる「開包」と称される。構成要素のこのいわゆる開包の後に、構成要素に付着する粒子材料残留物を取り除くために、構成要素の（微細）清浄化が続いてもよい。この際、未固結粒子材料（又は「非結合性」粒子材料）とは、それぞれの層の凝固部分領域外の粒子材料、すなわち、例えば、それぞれの層の印刷領域又は焼結領域の外側の粒子材料、又は、非印刷粒子材料又は非焼結粒子材料のことである。
【０００７】
この種の粉体ベース構成要素を開包するための様々な方法が知られている。
【０００８】
開包は、例えば、高性能吸引装置によって緩い粒子材料を吸引することによって行なわれてもよい。この目的のため、例えば構成要素の完成に続いて、又は、造形工程の完了に続いて、第１の対象物が、それを例えば手動で造形ボックスから除去できるまで、適切な吸引装置（例えば、いわゆる吸引ランス又は吸引ホース）を用いて上方から露出される。その後、次の対象物が、例えば自由になるように吸引され、除去される。この場合、オペレータは、全ての構成要素を順に露出させて除去しなければならない。場合によっては、幾つかの構成要素が、１つの平面内で同時に自由になるように吸引された後、除去されてもよい。
【０００９】
この点において、吸引装置によって緩い粒子材料を時間をかけて吸引することは好ましくない。これは、特に、未固結粒子材料を大量に受ける造形空間又は造形ボックスが大きい場合に当てはまる。特に手動で吸引する場合、対象物が吸引装置に接触して破損するという更なる危険がある。例えば粒子材料の吸引がロボットアームで行なわれる吸引工程の自動化は、かなりの労力を伴ってのみ可能である。これは、ロボットにおける新規で複雑なシークエンスプログラミングが新たな対象物のために必要とされるからである。吸引方法の別の欠点は、相当な労力がなければ粒子材料を吸引後に容器に回収して再利用できないことである。これは、通常、粒子材料を吸引流／空気流から分離する分離器又は適切な分離装置において起こる。別の欠点は、吸引されるべき粒子材料に接触する構成要素の全て（例えば吸引ランス、吸引ホース、分離器等）が特に砂等の非常に粗い粒子材料の場合に広範囲で摩耗してしまうことである。
【００１０】
前述したように、構成要素が例えばいわゆる造形プラットフォーム上に造られてもよく、それにより、粒子材料充填物及びそこに受けられる構成要素は、造形工程の終わりに造形プラットフォーム上に配置される。一方、造形プラットフォームは、いわゆる造形ボックス内に受けられてもよい。十分に／適切に注入可能な粒子材料においては、又は、十分に／適切に注入可能な粒子材料充填物の場合には、緩い粒子材料が造形空間から下方へ落下する／垂れ落ちるように、構成要素を粒子材料充填物から開包するために造形プラットフォームに形成される選択的に閉鎖可能な貫通穴を開放すれば足りる場合がある。したがって、多くの場合、粒子材料は十分な態様で流出でき／垂れ落ちることができる。必要に応じて、それぞれの開口の上側にキャビティが形成される（それぞれの開口の上側のいわゆる「ブリッジ形成」）ように例えば緩い粒子材料のみがそれぞれの開口の直上の領域で流出する場合には、粒子材料が例えば振動によって及び／又は空気を吹き付けることによって更に緩い状態になる場合があり、及び／又は、貫通穴を通じて粒子材料を吸引するべく吸入流が使用される場合がある。
【００１１】
例えば、国際公開第２００７／１３９９３８号パンフレット（特にその図３Ａ〜図３Ｃ参照）は、互いに垂直に離れて配置される２つの有孔プレートの使用を開示し、これらのプレートの穴が水平方向に互いに対してオフセットされるように配置される。対象物を造った後、下側有孔プレートの下側に真空が印加され、それにより、粒子材料が下方に吸引される。また、これらの穴を互いに位置合わせするために、下側有孔プレートが上側有孔プレートに対して水平方向に移動できるように構成されてもよい。言い換えると、上側有孔プレートは出口開口を有する造形プラットフォームを形成し、この場合、出口開口は、オフセットされる下側有孔プレートによって（造形工程中に）閉じられる。この実施形態の欠点は、一方では、十分に強力な吸引流が必要なことであり、他方では、比較的複雑な造形プラットフォーム構造である。
【００１２】
米国特許出願公開第２００８／０２４１４０４号明細書も造形チャンバから造形プラットフォームを介して未固結粒子材料を下方に排出するように構成される造形プラットフォームを開示する。例えばその図１を参照されたい。米国特許出願公開第２００８／０２４１４０４号明細書によれば、造形プラットフォームが格子部材を備え、該格子部材の開口が造形工程中に下側フラップによって閉じられる。造形工程後にフラップを開放することにより、未固結粒子材料を造形チャンバから排出できる。
【００１３】
米国特許出願公開第２００２／００９０４１０号明細書は、一方では空気が側方で（第１の側で）吹き込まれ、他方では造形材料が側方で（第１の側と反対の第２の側で）造形空間の側方造形空間壁又は垂直周壁を通じて吸引により引き出される、開包方法を開示する。したがって、米国特許出願公開第２００２／００９０４１０号明細書によれば、未固結粒子材料が、未固結粒子材料の側方吹き込みと相まって側方で吸引される。この目的のため、それに対応して側壁を高く寸法付けなければならない。これは、吹き込み／吸引のための側方開口を造形工程中に造形プラットフォームの下側に位置させなければならないからである。
【００１４】
別の開包方法は、国際公開第２００５／０２５７８０号パンフレットから知られている。この文献は、構成要素の生成後に造形プラットフォームを吸引位置に移動させ、その後、側方吸引流によって構成要素を開包することを提案し、それにより、未固結造形材料を取り出すことができるとともに、形成体及びキャリア又は造形プラットフォームを冷却することができる。この場合も、側壁が対応して高くなるように寸法付けられなければならない。
【００１５】
最後に、国際公開第０１／１０６３１号パンフレットは、多孔質となるように構成される造形プラットフォームを開示し、この場合、ガスが複数の孔又は開口のそれぞれを介して底部から吹き込まれ、それにより、一種の流動床が生成されるとともに、生成される対象物を取り囲む粒子材料が緩い状態になる。緩い材料は、特に造形空間の傾斜に関連して造形プラットフォームを上方に移動させることによって、造形空間から上方へ除去される。例えば国際公開第０１／１０６３１号パンフレットの図３及び図４を参照されたい。流動床が存在する場合に造形空間を傾斜させることにより、構成要素が流動床で移動して例えば互いに又は造形空間の周壁と衝突し／ぶつかり、その結果、構成要素を破損させる場合がある。
【発明の概要】
【００１６】
例えば大きな造形空間又は大きな造形ボックスにおいても簡単であるがそれにもかかわらず、信頼できる粒子材料充填物からの構成要素の除去／開包を可能にする方法及び／又は装置を提供することが本発明の目的と見なされ得る。
【００１７】
本発明は、請求項１に係る構成要素を開包する方法を提供する。本発明に係る方法の更なる実施形態が従属請求項２〜１１に記載される。請求項１２及び請求項１３は、本発明に係る開包方法に適合される生成方法を記載する。請求項１４は、本発明に係る構成要素を開包するための装置を記載し、また、請求項１５は、本発明に係る装置の更なる実施形態を記載する。
【００１８】
様々な実施形態によれば、例えば大きな造形空間又は大きな造形ボックスにおいても簡単であるがそれにもかかわらず信頼できる粒子材料充填物からの構成要素の除去／開包を可能にする方法及び／又は装置が提供される。
【００１９】
様々な実施形態によれば、製造された構成要素及び粒子材料充填物がその受け入れ空間内に受けられる造形ボックスを次の造形作業のために迅速に利用できるように構成要素の開包を可能にする方法及び／又は装置が提供される。
【００２０】
様々な実施形態によれば、構造に関して簡単な造形ボックスに適した方法及び／又は装置が提供される。
【００２１】
様々な実施形態によれば、粒子材料充填物からの構成要素の開包を容易に自動化できる又は制御された態様で行なうことができる、すなわち、構成要素の部分的に自動化された又は完全に自動化された開包を可能にする方法及び／又は装置が提供される。
【００２２】
様々な実施形態によれば、例えば大きな造形空間又は大きな造形ボックスにおいても粒子材料充填物からの構成要素の迅速な開包を可能にする方法及び／又は装置が提供される。
【００２３】
様々な実施形態によれば、例えば大きな造形空間又は大きな造形ボックスにおいても粒子材料充填物からの構成要素の費用効率が高い開包を可能にする方法及び／又は装置が提供される。
【００２４】
様々な実施形態によれば、例えば粒子材料を再び使用するために構成要素から分離される粒子材料を容易に収集できる方法及び／又は装置が提供される。
【００２５】
様々な実施形態によれば、開包工程中に起こる粒子材料と接触する装置の摩耗及び裂けを低レベルに維持できる方法及び／又は装置が提供される。
【００２６】
様々な実施形態によれば、比較的低い造形ボックスで開包を行なうことができる方法及び／又は装置が提供される。
【００２７】
本発明は、未固結粒子材料の粒子材料充填物から生成造形方法を用いて生成される構成要素（例えば、幾つかの構成要素）を開包するための方法について記載し、充填物は、構成要素と共に受け入れ空間内に配置され、受け入れ空間は、造形ボックスにおける上方向で開口する垂直周壁構造体によって外周側が制限され、高さ調整可能な造形プラットフォームが造形ボックス内に受けられ、造形プラットフォーム上には構成要素を含む粒子材料充填物が配置される。
【００２８】
例えば、造形ボックスは、幾つかの位置間で前後に移動できる可動造形ボックスであってもよい。この目的のため、造形ボックスには、例えば、それ自体の造形ボックス移動駆動部が設けられてもよい。これらの位置のうちの１つは、生成造形工程を実行する３Ｄプリンタ内の造形ボックス造形位置であってもよく、この位置では造形ボックスが造形空間を形成し、この造形空間内で生成されるべき構成要素が内部で製造される／造られる。別の位置は、例えば３Ｄプリンタの外側に配置される造形ボックス開包位置であってもよく、造形ボックスから構成要素を除去するために造形ボックスが造形ボックス開包位置へ移動される。少なくともこれらの２つの位置間の区間に造形ボックスのためのコンベヤシステム（例えば、ローラコンベヤ及び／又はレール構造体の形態を成す）が設けられてもよい。
【００２９】
造形ボックスには、例えば、それ自体の造形プラットフォーム昇降駆動部が設けられてもよく、この昇降駆動部を用いて高さ調整可能な造形プラットフォームを昇降させることができる。或いは、この種の造形プラットフォーム昇降駆動部は、それぞれに必要とされる位置に、すなわち、例えば、造形ボックス造形位置に及び造形ボックス開包位置に設けられてもよい。この場合、幾つかの造形ボックスが同じ昇降駆動部を一緒に使用してもよい。
【００３０】
造形ボックスの垂直周壁構造体は、例えば、平面視で例えば２つの長い辺と２つの短い辺とを有する長方形であってもよい。
【００３１】
造形プラットフォームは、例えば、貫通穴を伴うことなく構成されてもよい、及び／又は、構成要素の開包工程中に造形ボックス内にとどまってもよい（すなわち、造形プラットフォームは、開包工程中に造形ボックスから除去されない）。
【００３２】
構成要素は、例えば、結合剤（例えば、多成分結合剤の結合剤成分）が粒子材料の既に塗布された層上に選択的に印刷される結合剤印刷方法を用いて、又は代わりに、例えば選択的レーザ焼結を用いて製造されてもよい。しかしながら、他の生成造形方法、例えば粉体ベース製造法も同様に想像できる／想定し得る。当業者はこの種の製造方法に精通しており、また、これらの方法は例えば前述の文献に記載されている。
【００３３】
例えば、いわゆるコータを用いて造形プラットフォームに第１の粒子材料層を塗布した後、第１の粒子材料層は、例えば適切な印刷装置を用いて例えば適した結合剤をインプリントすることによって、その一部の領域が選択的に固結され／固化されてもよい。その後、造形プラットフォームが一層の厚さだけ下方に下降されてもよく、第２の粒子材料層が第１の粒子材料層上に塗布され、及び、第２の粒子材料層がその一部の領域で選択的に固結されてもよい。これらのステップは、構成要素が完成されるまで繰り返されてもよい。そのような方法で使用されるのに適した印刷装置、適したコータ、適した造形ボックス、及び、適した設備は、例えば、以下の出願／特許、すなわち、ドイツ特許出願公開第１０２００９０５６６９５号明細書、ドイツ特許出願公開第１０２００９０５６６８８号明細書、ドイツ特許出願公開第１０２００９０５６６８９号明細書、ドイツ特許出願公開第１０２００９０５６６８６号明細書、ドイツ特許出願公開第１０２００９０５６６９６号明細書、ドイツ特許出願公開第１０２００９０５６６９４号明細書、及び、ドイツ特許出願公開第１０２００９０５６６８７号明細書に記載されており、その開示内容はこの参照によって本願に組み入れられる。
【００３４】
未固結粒子材料の粒子材料充填物は、造形工程／製造工程の終わりに造形ボックスによりその造形空間内又は受け入れ空間内に受けられ、粒子材料充填物中には１つ以上の構成要素が含まれ又は埋め込まれる。言い換えると、少なくとも１つの構成要素は、少なくとも一部が粒子材料充填物によって取り囲まれる。幾つかの構成要素は、例えば、造形空間内の共通の水平な層内又は平面内に配置されてもよく（この場合、構成要素は同時に又は互いの次に製造されてしまっている）、及び／又は、造形空間内に互いに上下に垂直方向で配置されてもよい（この場合、構成要素は互いに前後して製造されてしまっている）。
【００３５】
少なくとも１つの構成要素は、（それぞれ連続する粒子材料層の選択的に固結された部分領域の）固結粒子材料から形成され、また、例えば、鋳型又は鋳造コア、例えば砂鋳型又は砂鋳造コアであってもよい。
【００３６】
粒子材料（又は「造形材料」）が例えば砂粒子を備えてもよい。例えば、砂粒子が粒子材料のために使用されてもよく、砂粒子は、石英砂粒子、酸化アルミニウム砂粒子、ジルコン砂粒子、オリビン砂粒子、ケイ酸砂粒子、クロマイト砂粒子、及び、これらの組み合わせから成るグループから選択される。しかしながら、粒子材料は、他の造形粒子、例えば金属又は合成材料粒子を同様に備えてもよく、そのため、本発明は砂粒子の使用に限定されない。粒子材料は、例えば、９０〜２５０μｍの平均粒径、例えば９０〜２００μｍの平均粒径、例えば１１０〜１８０μｍの平均粒径を有する造形粒子を有してもよい。構成要素を主に構成するいわゆる造形粒子に加えて、粒子材料は、添加剤、例えば多成分バインダの成分を備えてもよい。添加剤は液体及び／又は固体の形態で存在してもよい。
【００３７】
粒子材料充填物中に埋め込まれる構成要素は、その生成後、いわゆる開包ステップにおいて未固結粒子材料から十分に自由にされなければならない。言い換えると、構成要素は、このステップ中に十分な態様で露出される。ここで、未固結粒子材料という用語は、他の粒子に結合されず、それにより、構成要素を形成する粒子のこと、すなわち、層のそれぞれの選択的に固結された部分領域外の粒子のことである。
【００３８】
本発明によれば、実際の開包は、従来技術における一般的な方法に係る場合のように造形空間内で又は造形ボックス内で行なわれず、粒子材料充填物（又はむしろ未固結粒子材料の「積層体」）が最初に構成要素と共に補助フレームへ移送され、この目的のために、補助フレームが造形ボックスの垂直上側に配置される。
【００３９】
したがって、造形ボックスをその後の造形作業のために迅速に利用できる。また、その造形プラットフォームを含む造形ボックスは、その構造に関して簡単であるように構成されてもよい。例えば、高い側壁構造体及び／又は閉鎖装置を伴う有孔造形プラットフォームを造形ボックスに設ける必要がない。
【００４０】
更なる過程では、任意の困難を伴わずして補助フレームへ移送された構成要素を粒子材料充填物から開包でき、又は、構成要素を補助フレームから除去できる。この点において、方法は、大きな造形ボックスにも適し、簡単な信頼できる開包を可能にする。開包工程は、比較的迅速に妥当なコストで行なうことができる。
【００４１】
また、記載された工程は、構成要素の少なくとも部分的な開包工程を自動化方式で行なうのに適している。
【００４２】
詳細には、方法において、以下のステップが行なわれてもよい。すなわち、下方で開口する垂直周壁構造体を有するとともに構成要素を含む粒子材料充填物を受けるように構成される補助フレームが、造形ボックスの垂直周壁構造体の垂直上側に配置され、
造形プラットフォームが上方へ移動され、それにより、構成要素を含む粒子材料充填物が造形ボックスから補助フレームへ移送されて補助フレーム内に受けられ、
構成要素を含む粒子材料充填物を内部に受けた補助フレームと造形ボックスとが互いに離間され、それにより、造形ボックスが後続の造形作業のために自由になり、
構成要素は、粒子材料充填物から少なくとも部分的に開包されて補助フレームから除去される。
【００４３】
例えば、補助フレームは、その垂直周壁構造体が実質的に造形ボックスの垂直周壁構造体の延在部のような状態で配置される。言い換えると、両方の垂直周壁構造体がほぼ位置合わされてもよい。
【００４４】
例えば、補助フレームは、造形ボックス上に直接に載置してもよく、又は、例えば造形ボックスの上側に、例えば垂直方向の遊びを伴って、すなわち、小さな垂直距離を隔てて、造形ボックスに垂直方向で隣接して配置されてもよい。
【００４５】
造形ボックスは、例えば、造形ボックスの上側に補助フレームを配置するときに前述の造形ボックス開包位置へ配置され又は移動されてもよい。
【００４６】
造形プラットフォームを上方へ移動させることは、例えば、前述の一体型造形ボックス昇降駆動部又は「共有」昇降駆動部を使用して行なわれてもよい。
【００４７】
造形プラットフォームは、例えば、実質的に造形ボックスの垂直周壁構造体の上縁又はその付近の所まで上方へ移動される。
【００４８】
構成要素を含む粒子材料充填物を内部に受けた補助フレームと造形ボックスとを互いに離れるように移動させるために、例えば、造形ボックス及び／又は補助フレームは、例えば（それぞれ）側方に又は水平に移動されてもよい（以下を参照）。側方移動が実際に真価を発揮した場合であっても、基本的に、例えば補助フレームを上方へ移動させるために例えば別の方法として垂直移動を行なことができる（以下を参照）。
【００４９】
様々な例示的な実施形態によれば、補助フレーム内に受けられる構成要素は、例えば、粒子材料充填物の粒子材料を補助フレームの下側開口を通じて補助フレームから除去することによって、例えば粒子材料が補助フレームから下方へ垂れ落ちることによって粒子材料充填物から少なくとも部分的に開包されてもよい。構成要素は、例えば最初に保持されてもよく、或いは、別の方法として、補助フレームの内部から下側開口を通じて未固結粒子材料と共に除去されてもよい。しかしながら、基本的に、例えば補助フレームの上側開口を通じて粒子材料を吸引によって排出する、引き出すことも、たとえこの方法が多くの時間を要する場合であっても想定し得る。粒子材料充填物の粒子材料が例えば補助フレームから下方へ垂れ落ちることによって補助フレームから補助フレームの下側開口を通じて除去される場合、粒子材料充填物は、粒子材料を少なくとも断面で緩い状態にするために、必要に応じて（例えば、粒子材料が鈍い垂れ落ち挙動を伴う場合）流体（例えば加圧流体、例えば加圧ガス、例えば加圧空気）の流れによって更に吹き飛ばされてもよい（この点において、粒子材料充填物全体が例えば流動床中へ移送されてもよい）。この目的のため、粒子材料充填物に対して下側から吹き付けるための対応するノズルが後述するように多孔質プレート形状構造体及び／又は排出構造体（例えば、格子又は篩の形態を成す）に取り付けられてもよい。
【００５０】
様々な例示的な実施形態によれば、構成要素は、例えば、補助フレーム及び構成要素を互いに対して移動させることによって補助フレームから除去されてもよい。
【００５１】
様々な例示的な実施形態によれば、開包及び除去は、同時に、重なり合う態様で、又は、連続的に行なわれてもよい。
【００５２】
構成要素を粒子材料充填物から少なくとも部分的に開包するため及び構成要素を補助フレームから除去するために、補助フレームは、簡単な例示的な実施形態によれば、造形ボックスの近傍に配置されるテーブルの上に側方へ移動されてもよい。補助フレームがその後に粒子材料充填物から引き上げられる又は分離される場合には、粒子材料充填物又はむしろ「未固結粒子材料の積層体」が横に広がり、例えばブラシによる別の露出後に必要に応じて粒子材料充填物から構成要素を除去できる。
【００５３】
或いは、補助フレームが例えばスライドの垂直上側に配置されるように側方に移動されてもよく、それにより、補助フレームの下側開口を通じて構成要素及び粒子材料充填物を一緒に補助フレームからスライドに沿って除去できる。
【００５４】
同様に、別の簡単な例示的実施形態によれば、補助フレームは、例えば、造形ボックスの近傍に配置される多孔質粒子材料排出構造体（例えば、格子又は篩の形態を成す）の上に側方へ移動されてもよく、それにより、粒子材料充填物の未固結粒子材料が粒子材料排出構造体を通じて下方へ垂れ落ちてもよく、構成要素は多孔質粒子材料排出構造体によって保持される。多孔質粒子材料排出構造体は、例えば、粒子材料収集容器に又は粒子材料収集容器よりも上側に配置されてもよい。
【００５５】
様々な実施形態によれば、補助フレームは、例えば、プレート形状構造体の上に相対的に移動されてもよく、又は、プレート形状構造体の上側に配置されてもよく、或いは、プレート形状構造体は、造形ボックス内で造形プラットフォームと構成要素を含む粒子材料充填物との間に設けられてもよいとともに、粒子材料充填物と共に補助フレームへ移送されてもよい（以下も参照）。プレート形状構造体及び補助フレームは、例えば、構成要素を開包するために互いに離れるように移動されてもよく、それにより、粒子材料充填物（随意的に構成要素と共に）が補助フレームの下側開口を通じて例えば多孔質粒子材料排出構造体上へ排出されてもよい。それぞれのプレート形状構造体は、例えば、多孔質であるように、すなわち、未固結粒子材料を透過するように構成されてもよく、それにより、構成要素の取り扱いが容易となる。この場合、構成要素は、例えば、未固結粒子材料がプレート形状構造体を通じて下方へ垂れ落ちる間、プレート形状構造体によって保持されてもよい。
【００５６】
この点において、多孔質プレート形状構造体は、例えば、篩及び／又は格子及び／又は有孔プレートによって形成されてもよい。
【００５７】
多孔質プレート形状構造体は例えば金属から形成されてもよい。
【００５８】
多孔質プレート形状構造体は、未固結粒子材料を挿通垂下させ、それにより、構成要素を少なくとも部分的に開包するように構成されてもよい。多孔質プレート形状構造体は、構成要素を保持するように更に構成されてもよい。
【００５９】
したがって、少なくとも部分的な開包が多孔質プレート形状構造体を通じて行なわれてもよい。
【００６０】
様々な実施形態によれば、例えば多孔質（すなわち、未固結粒子材料を透過する）であるように形成されてもよいプレート形状構造体が造形ボックス内で造形プラットフォームと構成要素を含む粒子材料充填物との間に配置されてもよく、プレート形状構造体は、その上に配置されて構成要素を含む粒子材料充填物と一緒に、造形ボックスから補助フレームへ移送されるとともに、粒子材料充填物及び補助フレームと一緒に、例えば粒子材料収集装置の垂直上側の位置へ向けて造形ボックスから相対的に離間される。
【００６１】
例えば、補助フレーム、粒子材料充填物、及び、プレート形状構造体は、粒子材料収集装置の垂直上側の位置へ向けて側方に又はむしろ水平に移動されてもよい。
【００６２】
造形ボックス内に受けられるプレート形状構造体は、例えば、造形プラットフォームとほぼ同じサイズを有してもよい。
【００６３】
プレート形状構造体は、例えば、補助フレームへ移送されてしまった後に、例えばプレート形状構造体のそれぞれの凹部と係合する１つ以上の直線的に移動できるボルトを備える例えばロック／固定構造体を用いて補助フレームに固定されてもよい。この場合、補助フレームは、例えば、造形ボックスから垂直に離れるように移動されてもよく、又は、例えば、側方離間後に、自由に、すなわち、プレート形状構造体を下側から支持する必要なく移動されてもよい。
【００６４】
しかしながら、補助フレームとプレート形状構造体とを互いに固定する或いはそれらを連結させる必要はなく、また、プレート形状構造体は、例えば、補助フレームの相対離間中に、例えば適切なラック上で又は多孔質粒子材料排出構造体（例えば、格子又は篩の形態を成す）上で下側から支持されてもよい。
【００６５】
様々な実施形態によれば、構成要素を含む粒子材料充填物を内部に受けた補助フレーム及び造形ボックスは、例えば構成要素を含む粒子材料充填物を内部に受けた補助フレームを例えばガイド構造体に沿って側方へ移動させることによって、互いに側方へ離間されてもよい。
【００６６】
補助フレーム及び造形ボックスを互いに側方に離間させるとき、粒子材料充填物は、例えば水平支持構造体上に配置されてもよく、例えば水平支持構造体上へ押し進められてもよい。水平支持構造体は、例えば、格子及び／又は例えば多孔質であるプレート形状構造体によって形成されてもよい。
【００６７】
様々な実施形態によれば、構成要素を含む粒子材料充填物を内部に受けた補助フレームは、例えば多孔質である（すなわち、未固結粒子材料を透過する）ように構成されてもよい（「外部」）プレート形状構造体の垂直上側に配置されてもよく或いはむしろプレート形状構造体の上に相対的に移動されてもよい。「外部」プレート形状構造体は、例えば、造形ボックスの側方に隣接して実質的に造形ボックスの上縁領域の高さに配置されてもよい。この場合、補助フレームは、粒子材料充填物の移送時（例えば、それ自体が移動されてもよい）にプレート形状構造体の垂直上側（例えば直接にプレート形状構造体上）の位置へ向けて横方向に相対的に移動されてもよい。この点において、プレート形状構造体は、例えば、造形プラットフォームよりも大きくなる、例えば造形ボックスよりも大きくなるように形成されてもよい。
【００６８】
様々な実施形態によれば、プレート形状構造体が粒子材料収集装置の上側に配置されてもよく、又は、補助フレームは、構成要素を含む粒子材料充填物を内部に受けた状態で、最初に、プレート形状構造体の上に移動された後、プレート形状構造体と共に粒子材料収集装置の上に移動されてもよい。
【００６９】
例えば、粒子材料収集装置は、粒子材料収集容器及び／又は多孔質粒子材料排出構造体を備えてもよい。
【００７０】
様々な実施形態によれば、多孔質プレート形状構造体の貫通穴は、補助フレームからの粒子材料の排出を減らすために、（補助フレームを多孔質プレート形状構造体の垂直上側の位置へ至らせるための）補助フレームと多孔質プレート形状構造体との間の相対的な側方移動中に（例えば少なくとも一時的に）粒子材料で満たされてもよく及び／又は覆われてもよい。これにより、構成要素が多孔質プレート形状構造体に擦り付きその結果として損傷されることを防止できる。言い換えると、補助フレームが多孔質プレート形状構造体の上に完全に配置されてしまう前に粒子材料の排出の結果として構成要素が沈み込んで構成要素が多孔質プレート形状構造体と接触することを防止できる。例えば、開口は、例えば多孔質プレート形状構造体の上側又は下側に配置されてもよい例えばスライド／プッシャプレートを用いてプレート構造体によって覆われてもよい。
【００７１】
様々な実施形態によれば、構成要素を含む粒子材料充填物は、粒子材料充填物からの構成要素の少なくとも部分的な開包中に、多孔質プレート形状構造体上に、例えば前述した多孔質プレート形状構造体上に配置されてもよい。加えて／この状態で、構成要素を含む粒子材料充填物は、例えば、補助フレームによって外周が取り囲まれてもよい。一方、多孔質プレート形状構造体は、粒子材料収集装置の上側に配置されてもよい。粒子材料収集装置は、例えば、造形ボックスの隣に配置されてもよい。
【００７２】
様々な実施形態によれば、少なくとも部分的に開包された構成要素は、多孔質プレート形状構造体及び補助フレームと共に構成要素移送ステーションへ移動されてもよく、この構成要素移送ステーションで構成要素及び多孔質プレート形状構造体が補助フレームから分離されるととともに、構成要素移送ステーションから構成要素が例えば多孔質プレート形状構造体と共に例えば構成要素ストックへ供給される。構成要素移送ステーションは、例えば、粒子材料収集装置の隣に配置されてもよい。構成要素移送ステーションは、例えば、多孔質プレート形状構造体を堆積させるための高さ調整可能な堆積構造体を備えてもよい。構成要素移送ステーションは、例えば、多孔質プレート形状構造体をその上に配置される構成要素と共に補助フレームから分離する／除去するために下方へ移動されてもよい。随意的な構成要素ストックが例えば構成要素移送ステーションの隣に配置されてもよい。構成要素ストックは、例えば、幾つかの構成要素を内部で受けることができる棚であってもよい。
【００７３】
様々な実施形態によれば、造形ボックスは、工程の初めに粒子材料収集装置の隣の造形ボックス開包位置に配置されてもよく、補助フレームは、ガイド構造体に沿って、造形ボックス開包位置から粒子材料収集装置へ移動でき／移動され、随意的に粒子材料収集装置を介して前述の移送ステーションへ更に移動でき／移動される。ガイド構造体は、例えば、水平なガイド構造体であってもよい。ガイド構造体は、例えば、直線状のガイド構造体であってもよい。
【００７４】
様々な実施形態によれば、以下が適用されてもよい。
補助フレームの垂直周壁構造体が上方で更に開口してもよい（この場合、上側開口を通じて流体の流れが例えば粒子材料充填物及び／又は構成要素へ方向付けられてもよい）、及び／又は、
補助フレームの垂直周壁構造体は、造形ボックスの垂直周壁構造体の高さ以上の高さを有してもよい、及び／又は、
補助フレームの垂直周壁構造体により制限される空間と造形ボックスの垂直周壁構造体により制限される空間とが水平断面で同じ形状及び／又は同じサイズを有してもよい、及び／又は、
補助フレームには、補助フレームが構成要素を含む粒子材料充填物を内部に受けた状態で造形ボックスに対して側方に移動される間に上方に移動される造形プラットフォームを清浄化するように構成される清浄化装置が設けられてもよい。清浄化装置は、例えば、垂直周壁構造体の外面に装着されてもよい。清浄化装置は、例えば、剥離／拭き取り部材、例えばブラシを備えてもよい。
【００７５】
様々な実施形態によれば、補助フレームを造形ボックスの垂直周壁構造体の上側に配置するステップ、及び／又は、造形プラットフォームを上方へ動かす／移動させるステップ、及び／又は、補助フレームと造形ボックスとを互いに離間させるステップ、及び／又は、構成要素を少なくとも部分的に開包するステップ、及び／又は、構成要素と補助フレームとを互いに除去するステップ、及び／又は、造形ボックスを粒子材料収集装置の隣の造形ボックス開包位置に最初に配置するステップ、及び／又は、開包された構成要素を多孔質プレート形状構造体及び補助フレームと共に構成要素移送ステーションへ移動させるステップ、及び／又は、構成要素及び多孔質プレート形状構造体を補助フレームから分離するステップ、及び／又は、開包された構成要素を構成要素ストックへ供給するステップが、自動化方式で行なわれてもよい。
【００７６】
本発明の様々な実施形態によれば、前述したようにこのように製造される構成要素を開包するための方法と組み合わせて生成造形工程を用いて１つ以上の構成要素を生成するための方法が提供される。
【００７７】
この点において、全ての構成要素は、生成造形方法において、平面視で、例えば単一の水平構成要素層を成して、造形ボックスにより形成される造形空間内で互いに隣接して生成される。
【００７８】
これに代えて又は加えて、構成要素若しくは構成要素のうちの１つ以上又は全部は、生成造形方法でそれぞれの構成要素と共に形成されるそれぞれの支持構造体又は保持構造体を備え、それにより、構成要素を開包するとき、例えば未固結粒子材料が補助フレームから下方へ排出されるときに、それぞれの構成要素の損傷及び／又は構成要素による（例えば、多孔質プレート形状構造体の）１つ以上の開口の被覆が回避される。この点において、生成造形方法では、１つ以上の保持フレームが共成形されてもよく、この場合、１つ以上の構成要素がそれぞれそれらの対応する支持構造体又は保持構造体により保持され、及び／又は、幾つかの構成要素は、それらのそれぞれの支持構造体又は保持構造体によって互いに接続されてもよく、及び／又は、構成要素若しくは構成要素のうちの１つ以上又は全部は、それらのそれぞれの支持構造体又は保持構造体によって造形ボックス内に受けられる（例えば多孔質）プレート形状構造体と接続されてもよい。
【００７９】
本発明の様々な実施形態によれば、例えば前述したようにこのように製造される構成要素を開包するための方法と組み合わせて、生成造形工程を用いて１つ以上の構成要素を生成するための方法が提供される。
【００８０】
方法によれば、１つ以上の構成要素は、可動造形ボックスにおける上方で開口する垂直周壁構造体により外周が制限される造形空間内で生成され、この場合、高さ調整可能な造形プラットフォームが造形ボックス内に受けられ、造形プラットフォームは、製造方法を使用して造形プラットフォームの上側で構成要素を含む粒子材料充填物を形成するために、製造工程の過程で下降される。
【００８１】
造形工程の前に、（例えば多孔質）プレート形状構造体が可動造形ボックス（前述したように形成されてもよい）の造形プラットフォーム上に配置され、プレート形状構造体は、１つ以上の構成要素の開包のためにこれらの構成要素の生成後に造形プラットフォームを上方へ移動させることによって構成要素を含む粒子材料充填物と共に造形ボックスから除去され得るとともに、補助フレーム内へ移送され得る。
【００８２】
造形ボックスは、例えば、造形工程中に３Ｄプリンタ内に配置されてもよく、また、開包のために３Ｄプリンタから造形ボックス開包位置へ向けて移動されてもよい。プレート形状構造体は、例えば、造形工程前に遊離するように造形プラットフォーム上に配置されてもよい。多孔質プレート形状構造体の場合、多孔質プレート形状構造体の穴が造形工程の初めに充填されてもよく、また、１つ以上の「犠牲」層が随意的に多孔質プレート形状構造体上に配置されてもよい。造形プラットフォーム自体が貫通穴を有さなくてもよい。造形プラットフォームは、例えば、実質的に垂直周壁構造体の上縁に至るまで移動されるように構成され、それにより、プレート形状構造体は、１つ以上の構成要素をそれらの製造後に開包するために、構成要素を含む粒子材料充填物と共に造形プラットフォームを上方へ移動させることによって造形ボックスから除去されてもよく、また、補助フレームへ移送されてもよい。
【００８３】
様々な実施形態によれば、未固結粒子材料の粒子材料充填物から生成造形方法を用いて生成される構成要素を開包するための装置が提供され、充填物が構成要素と共に受け入れ空間内に配置され、受け入れ空間は、可動造形ボックスにおける上方で開口する垂直周壁構造体によって外周が制限され、高さ調整可能な造形プラットフォームが造形ボックス内に受けられ、造形プラットフォーム上には構成要素を含む粒子材料充填物が配置され、可動造形ボックスが造形ボックス開包位置に移動可能であり、装置は、
下方で開口する垂直周壁構造体を有するとともに、第１の位置から第２の位置へガイド構造体に沿って移動できる補助フレームであって、第１の位置では、補助フレームが、可動造形ボックスの造形ボックス開包位置へ移動された可動造形ボックスの垂直周壁構造体の垂直上側に配置される、補助フレームと、
補助フレームが第２の位置に配置されるときに補助フレームの垂直下方に配置される粒子材料収集装置と、
を備える。
【００８４】
第１及び第２の位置は、例えば、互いに水平に隣り合うように配置されてもよい。ガイド構造体は、例えば、水平なガイド構造体であってもよい。ガイド構造体は、例えば、直線状のガイド構造体であってもよい。
【００８５】
粒子材料収集装置は、例えば、その上縁領域が造形ボックスのその造形ボックス開包位置にある上縁領域とほぼ同じ高さ又はそれよりも幾分下側に配置されるような高さを有してもよい。
【００８６】
例えば、粒子材料収集装置は、例えば多孔質プレート形状構造体及び／又は粒子材料収集容器のための支持構造体としての役目を果たしてもよい多孔質粒子材料排出構造体（例えば格子又は篩の形態を成す）を備えてもよい。
【００８７】
吹き込み装置が例えば補助フレームのその第２の位置における上側に設けられてもよく、吹き込み装置は、補助フレームの上側開口を通じて構成要素上へ流体ジェット（例えば空気ジェット）を方向付けるように構成される。
【００８８】
装置は、例えば、造形ボックスを更に備えてもよい。
【００８９】
様々な実質的によれば、装置は、
構成要素移送ステーションであって、補助フレームがガイド構造体に沿って第１の位置から第２の位置を介して第３の位置へ移動でき、第３の位置で補助フレームが構成要素移送ステーションの垂直上側に配置される、構成要素移送ステーション、及び／又は、
前述の方法の１つ以上のステップ又は全てのステップを自動化方式で実行するように構成される制御装置、
を更に備えてもよい。
【００９０】
第２及び第３の位置は、例えば、互いに水平に隣り合うように配置されてもよい。
【００９１】
構成要素移送ステーションは、前述したように構成されてもよく、すなわち、例えば、プレート形状構造体を堆積させるための高さ調整可能な堆積構造体を備えてもよく、堆積構造体は、粒子材料収集装置の上縁領域の高さに至るまで実質的に（少なくとも）移動できる。
【００９２】
装置は、例えば、前述の構成要素ストックを更に備えてもよい。
【００９３】
装置が例えばプレート形状構成要素のストックを更に備えてもよく、それにより、補助フレームは、次の造形作業のために新たなプレート形状構造体を空の造形ボックスに取り込むことができる。
【００９４】
本発明の更なる特徴及び利点は、本明細書中に組み入れられる添付図面に及び以下の詳細な説明に詳しく例示され又は記載され、添付図面及び以下の詳細な説明は共に本発明の特定の原理を示す役割を果たすものとする。
【００９５】
以下、図面を参照して、異なる実施形態に基づいて本発明を詳しく例示する。
【図面の簡単な説明】
【００９６】
【図１】図１ａ及び図１ｂは、未固結粒子材料の粒子材料充填物から生成造形工程を用いて製造される構成要素を開包するための本発明の第１の実施形態に係る装置を示す。
【図２】図２ａ及び図２ｂは、図１ａ及び図１ｂの装置を使用する、未固結粒子材料の粒子材料充填物から生成造形工程を用いて製造される構成要素を開包するための本発明の第１の実施形態に係る方法を示す。
【図３】図３ａ及び図３ｂは、図１ａ及び図１ｂの装置を使用する、未固結粒子材料の粒子材料充填物から生成造形工程を用いて製造される構成要素を開包するための本発明の第１の実施形態に係る方法を示す。
【図４】図４ａ及び図４ｂは、図１ａ及び図１ｂの装置を使用する、未固結粒子材料の粒子材料充填物から生成造形工程を用いて製造される構成要素を開包するための本発明の第１の実施形態に係る方法を示す。
【図５】図５ａ及び図５ｂは、図１ａ及び図１ｂの装置を使用する、未固結粒子材料の粒子材料充填物から生成造形工程を用いて製造される構成要素を開包するための本発明の第１の実施形態に係る方法を示す。
【図６】未固結粒子材料の粒子材料充填物から生成造形工程を用いて製造される構成要素を開包するための本発明の第２の実施形態に係る装置及び方法を示す。
【図７】未固結粒子材料の粒子材料充填物から生成造形工程を用いて製造される構成要素を開包するための本発明の第２の実施形態に係る装置及び方法を示す。
【図８】未固結粒子材料の粒子材料充填物から生成造形工程を用いて製造される構成要素を開包するための本発明の第２の実施形態に係る装置及び方法を示す。
【図９】未固結粒子材料の粒子材料充填物から生成造形工程を用いて製造される構成要素を開包するための本発明の第２の実施形態に係る装置及び方法を示す。
【図１０】未固結粒子材料の粒子材料充填物から生成造形工程を用いて製造される構成要素を開包するための本発明の第２の実施形態に係る装置及び方法を示す。
【図１１】未固結粒子材料の粒子材料充填物から生成造形工程を用いて製造される構成要素を開包するための本発明の第２の実施形態に係る装置及び方法を示す。
【図１２】未固結粒子材料の粒子材料充填物から生成造形工程を用いて製造される構成要素を開包するための本発明の第２の実施形態に係る装置及び方法を示す。
【図１３】未固結粒子材料の粒子材料充填物から生成造形工程を用いて製造される構成要素を開包するための本発明の第２の実施形態に係る装置及び方法を示す。
【図１４】未固結粒子材料の粒子材料充填物から生成造形工程を用いて製造される構成要素を開包するための本発明の第３の実施形態に係る装置及び方法を示す。
【図１５】未固結粒子材料の粒子材料充填物から生成造形工程を用いて製造される構成要素を開包するための本発明の第３の実施形態に係る装置及び方法を示す。
【図１６】未固結粒子材料の粒子材料充填物から生成造形工程を用いて製造される構成要素を開包するための本発明の第３の実施形態に係る装置及び方法を示す。
【図１７】未固結粒子材料の粒子材料充填物から生成造形工程を用いて製造される構成要素を開包するための本発明の第３の実施形態に係る装置及び方法を示す。
【図１８】未固結粒子材料の粒子材料充填物から生成造形工程を用いて製造される構成要素を開包するための本発明の第３の実施形態に係る装置及び方法を示す。
【図１９】未固結粒子材料の粒子材料充填物から生成造形工程を用いて製造される構成要素を開包するための本発明の第３の実施形態に係る装置及び方法を示す。
【図２０】未固結粒子材料の粒子材料充填物から生成造形工程を用いて製造される構成要素を開包するための本発明の第３の実施形態に係る装置及び方法を示す。
【図２１】未固結粒子材料の粒子材料充填物から生成造形工程を用いて製造される構成要素を開包するための本発明の第３の実施形態に係る装置及び方法を示す。
【図２２】未固結粒子材料の粒子材料充填物から生成造形工程を用いて製造される構成要素を開包するための本発明の第４の実施形態に係る装置及び方法を示す。
【図２３】未固結粒子材料の粒子材料充填物から生成造形工程を用いて製造される構成要素を開包するための本発明の第４の実施形態に係る装置及び方法を示す。
【図２４】未固結粒子材料の粒子材料充填物から生成造形工程を用いて製造される構成要素を開包するための本発明の第４の実施形態に係る装置及び方法を示す。
【図２５】未固結粒子材料の粒子材料充填物から生成造形工程を用いて製造される構成要素を開包するための本発明の第４の実施形態に係る装置及び方法を示す。
【図２６】未固結粒子材料の粒子材料充填物から生成造形工程を用いて製造される構成要素を開包するための本発明の第４の実施形態に係る装置及び方法を示す。
【図２７】未固結粒子材料の粒子材料充填物から生成造形工程を用いて製造される構成要素を開包するための本発明の第４の実施形態に係る装置及び方法を示す。
【図２８】未固結粒子材料の粒子材料充填物から生成造形工程を用いて製造される構成要素を開包するための本発明の第４の実施形態に係る装置及び方法を示す。
【００９７】
図中、適切な場合には、同一又は同様の部材に同一の参照数字が与えられる。
【発明を実施するための形態】
【００９８】
図１ａ及び図１ｂは、未固結粒子材料の粒子材料充填物から生成造形工程を用いて製造される構成要素を開包するための装置１００（以下、「開包装置」とも称される）を示し、充填物は、構成要素と共に受け入れ空間内に配置され、受け入れ空間は、可動造形ボックスの垂直周壁構造体によって外周が制限され、垂直周壁構造体は上方向が開口しており、高さ調整可能な造形プラットフォームが可動造形ボックス内に受けられ、造形プラットフォーム上には構成要素を含む粒子材料充填物が配置され、また、可動造形ボックスは造形ボックス開包位置に移動され得る。図１ａ及び図１ｂにより示されるように、造形ボックス開包位置は３Ｄプリンタ（図示せず）の外側に配置され、３Ｄプリンタでは、例えば結合剤を選択的に印刷することにより又は選択的なレーザ焼結により、造形ボックスにより形成される造形空間内で構成要素が製造された。
【００９９】
図１ａ及び図１ｂにより示されるように、装置１００は、造形ボックス１０、補助フレーム２０、粒子材料収集装置３０、随意的な構成要素移送ステーション４０、随意的な構成要素ストック５０、及び、多孔質プレート形状構造体１５の随意的なストック６０を備える。ここで、これらの構成要素について詳しく説明する。
【０１００】
造形ボックス１０は、上方向で開口する垂直周壁構造体１２を有する。図示のように、垂直周壁構造体１２は、例えば、上から見たときに長方形であるように構成されてもよい。
【０１０１】
ここで、造形ボックス１０は、一例として、造形ボックスにより形成される造形空間内で構成要素を製造するために造形ボックスが３Ｄプリンタ（図示せず）内に配置される造形ボックス造形位置と造形ボックス開包位置との間で少なくとも前後に移動され得る可動造形ボックス１０として構成される。この点において、図１ａは随意的な搬送システム（ここでは、一例として、ローラコンベヤ１９の形を成す）を示唆し、該搬送システム上で／を用いて造形ボックス１０がその造形ボックス開包位置に移動され得る。造形ボックス１０は、その造形ボックス開包位置で、例えば、所定の位置に固定され及び／又は方向付けられてもよい。しかしながら、本発明が可動造形ボックスに良く適している場合であっても、本発明がそのような可動造形ボックスに限定されないことが理解されるべきである。
【０１０２】
高さ調整可能な造形プラットフォーム１４が造形ボックス１０内に受けられ、製造工程中に構成要素又は構成要素を含む積層体が造形プラットフォーム上で造られる。製造工程の初めに、造形プラットフォーム１４が上方へ移動され得る。製造工程中、造形プラットフォーム１４が一層の厚さだけそれぞれ徐々に下げられてもよい。製造工程の終わりに、造形プラットフォーム１４が所定量だけ下方へ移動され、また、少なくとも１つの構成要素１６を含む粒子材料充填物１８が造形プラットフォームの上側に配置される。製造工程中及び開包工程中、造形プラットフォーム１４は、造形ボックス１０に組み込まれるそれ自体の昇降駆動部によって駆動されてもよく、或いは代わりに、３Ｄプリンタ又は開包装置に固定態様で設置される据え付け昇降駆動部によって駆動されてもよい。
【０１０３】
補助フレーム２０は、下方向で開口する垂直周壁構造体２２を有する。例えば、垂直周壁構造体２２が上方向においても開口してもよい。ここで、補助フレーム２０は、例えば、ガイド構造体２４に沿って移動できる。図示のように、ガイド構造体は、水平ガイド構造体として（例えば、水平な直線状のガイド構造体として）構成されてもよく、この水平ガイド構造体に沿って補助フレームが水平に移動され得る。補助フレーム２０は、少なくとも第１の位置と第２の位置との間で、随意的には補助フレームが随意的な構成要素移送ステーション４０の上側で垂直に配置される第３の位置及び／又は補助フレームが随意的なストック６０の上側で垂直に配置される第４の位置へも向けて、ガイド構造体２４に沿って移動され得る。第１の位置において、補助フレーム２０は、造形ボックス１０の垂直な周壁構造体１２の上側で垂直に配置され（造形ボックスがその造形ボックス開包位置に配置されるとき）、第２の位置において、補助フレーム２０は、後述する粒子材料収集装置３０の上側で垂直に配置される。この点において、図１ａ及び図１ｂでは、補助フレーム２０が第１の位置と第２の位置との間に配置される。
【０１０４】
また、補助フレーム２０が随意的な清浄化装置２６を備えてもよく、該清浄化装置２６を用いて、補助フレーム２０が第１の位置から第２の位置へ移動させる間に、上方に移動されてしまったプラットフォーム１４が清浄化され（例えば拭き取られ）得る。これについては図１ｂを参照されたい。
【０１０５】
粒子材料収集装置３０は、補助フレームが第２の位置に配置されるときに、補助フレーム２０の真下に垂直に配置される。粒子材料収集装置３０は、例えば、造形ボックスがその造形ボックス開包位置に配置されるときに、造形ボックス１０の隣に配置される。図１ｂに示されるように、粒子材料収集装置３０は、例えば、その上縁領域（例えば、後述する多孔質粒子材料排出構造体３２により形成される）が造形ボックスの造形ボックス開包位置で造形ボックス１０の上縁領域とほぼ同じ高さに配置されるような高さを有してもよい。
【０１０６】
粒子材料収集装置３０は、例えば、断面が漏斗形状を成す桶の形態の粒子材料収集容器３４を備える。例えば、粒子材料収集装置３０は、例えば格子又は篩の形態を成す多孔質粒子材料排出構造体３２などを更に備えてもよい。多孔質粒子材料排出構造体３２は、例えば、開包工程中に構成要素及び／又は多孔質プレート形状構造体１５のための支持体としての機能を果たしてもよい。多孔質粒子材料排出構造体３２は、例えば、粒子材料収集容器３４上に又は粒子材料収集容器３４よりも上側に配置されてもよい。
【０１０７】
随意的な吹き込み装置３６が粒子材料収集装置３０の上側に垂直に（及び、補助フレームの第２の位置では補助フレーム２０の上側に垂直に）配置されてもよく、吹き込み装置３６は、補助フレーム２０の上側開口を通じて流体ジェット（例えば空気ジェット）を構成要素１６上へ方向付けるように構成される。例えば、吹き込み装置３６は、構成要素が補助フレームと共に吹き込み装置を通過して移動される間に例えば粒子材料を構成要素から吹き払う垂直なエアーカーテンを形成する１つ以上の吹き込みノズルを備えてもよい。
【０１０８】
随意的な構成要素移送ステーション４０は、補助フレームが第３の位置に配置されるときに、補助フレーム２０の下側に垂直に配置される。構成要素移送ステーション４０は、例えば、粒子材料収集装置３０の隣に配置されてもよい。
【０１０９】
図１ｂに示されるように、構成要素移送ステーション４０は、例えば、構成要素１６及び／又は多孔質プレート形状構造体１５を堆積させる／支持するための堆積構造体／支持構造体４２を備えてもよい。支持構造体４２は、例えば高さ調整可能であってもよく、また、例えば、少なくとも粒子材料収集装置３０の上縁領域の高さに至るまで移動できるように構成されてもよい。支持構造体４２を下降させることにより、構成要素及び／又は多孔質プレート形状構造体１５を補助フレームから分離できる。したがって、補助フレームは次の造形ボックスのために自由となる。図１ｂは、下降位置にある支持構造体を示す。
【０１１０】
随意的な構成要素ストック５０は、例えば、構成要素移送ステーション４０の隣に配置されてもよい。例えば、構成要素ストック５０は構成要素ストック棚５２を備えてもよく、この構成要素ストック棚５２には複数の構成要素１６が例えばそれぞれの多孔質プレート形状構造体１５と共に格納されてもよい。構成要素ストック５０及び構成要素移送ステーション４０は、例えば、補助フレーム２０から構成要素移送ステーション４０へ移送される構成要素１６が棚５２内の自由位置に自動的に受け入れられるように構成されてもよい。
【０１１１】
多孔質プレート形状構造体１５の随意的なストック６０は、例えば、造形ボックスがその造形ボックス開包位置にあるときに造形ボックス１０の隣に配置されてもよい。ストック６０は、補助フレーム２０が次の造形作業のために空の造形ボックス１０に新たな多孔質プレート形状構造体１５を供給できるように複数の多孔質プレート形状構造体１５を保持する保持構造体６２を有する。この目的のため、補助フレームは、ストック６０の上側のその第４の位置へ移動されて、多孔質プレート形状構造体１５を取り込むとともに、第１の位置へ再び移動されて、多孔質プレート形状構造体１５を造形ボックス１０へ移送してもよい。多孔質プレート形状構造体１５を第４の位置で捕えるために、補助フレーム２０には例えばロック装置が設けられてもよく、該ロック装置は、例えば、プレート形状構造体のそれぞれの凹部と選択的に係合する１つ以上の直線的に移動できるボルトを備える。ロック装置は、プレート形状構造体が造形ボックスから補助フレームへ移送されてしまった後にプレート形状構造体を補助フレームに対して固定するために開包工程中に使用されてもよい。
【０１１２】
これに関し、本実施形態によれば、造形工程の前に多孔質プレート形状構造体１５が造形ボックス１０の造形プラットフォーム１４上に配置され、その後、多孔質プレート形状構造体は、構成要素１６を含む粒子材料充填物１８と共に造形プラットフォームを上方へ移動させることによって構成要素を製造した後に１つ以上の構成要素１６を開包するために造形ボックスから除去されるとともに補助フレーム２０へ移送されることに留意されたい。これは、図１ｂによって示唆されるとともに、後に詳しく説明される。
【０１１３】
多孔質プレート形状構造体１５は、例えば、有孔プレートによって形成されてもよい。多孔質プレート形状構造体１５は例えば金属から形成されてもよい。
【０１１４】
開包装置１００は、以下の工程、すなわち、
造形ボックス１０を例えば造形ボックス造形位置から始めて造形ボックス開包位置へ移動させる工程、
補助フレーム２０をそのガイド構造体２４に沿って移動させる工程、
造形ボックスが開包位置にあるとともに補助フレームがその第１の位置に配置されるときに造形プラットフォーム１４を上昇させる工程、
移送ステーション４０の堆積構造体４２を昇降させる工程、
構成要素１６を移送ステーション４０からストック５０内へ格納する工程、
吹き込み装置３６を用いて構成要素を吹き払う工程、
多孔質プレート形状構造体１５を補助フレーム２０に対してロックする工程、
のうちの１つ以上又は全てを制御するように構成される制御装置（図示せず）を更に備えてもよい。
【０１１５】
ここで、図２ａ〜図５ｂを参照して、未固結粒子材料の粒子材料充填物１８から生成造形工程を用いて製造される構成要素１６を開包するための本発明の第１の実施形態に係る方法（以下、「開包工程」とも称される）について説明し、充填物１８は、構成要素と共に、造形ボックス１０の垂直周壁構造体１２によってその外周側が制限される受け入れ空間内に配置され、垂直周壁構造体１２は上方向で開口しており、高さ調整可能な造形プラットフォーム１４が造形ボックス１０内に受けられ、造形プラットフォーム１４上には構成要素を含む粒子材料充填物が配置される。
【０１１６】
本発明の第１の実施形態に係る開包工程では、上方向で開口する垂直周壁構造体２２を有するとともに構成要素１６を含む粒子材料充填物１８を受けるように構成される補助フレーム２０が、最初に、造形ボックス１０の垂直周壁構造体１２の上側に垂直に配置される。これが図２ａ及び図２ｂに示される。言い換えると、補助フレームがその第１の位置に配置される。
【０１１７】
この際、図２ｂに示されるように、補助フレーム２０の垂直周壁構造体２２は、例えば、造形ボックス１０の垂直周壁構造体１２の延在部として垂直方向の遊びを伴って配置される。造形ボックスは、その造形ボックス開包位置にあるとともに、１つ以上の構成要素１６を含む未固結粒子材料の粒子材料充填物１８を受ける。ここで、粒子材料充填物１８は一例として多孔質プレート形状構造体１５上に配置され、多孔質プレート形状構造体１５は造形プラットフォーム１４上に配置される。すなわち、多孔質プレート形状構造体１５は、造形ボックス１０内で造形プラットフォーム１４と構成要素１６を含む粒子材料充填物１８との間に配置される。
【０１１８】
図３ａによって示唆されるように、造形プラットフォーム１４は、その後、この実施形態に係る開包工程において上方へ移動され、それにより、構成要素１６を含む粒子材料充填物１８は、造形ボックス１０から補助フレーム２０へ移送されて補助フレーム内に受けられる。この実施形態によれば、この際、多孔質プレート形状構造体１５も補助フレーム２０へ移送される或いはむしろ補助フレームのキャビティ内へ移動される。
【０１１９】
図３ｂによって示唆されるように、構成要素を含む粒子材料充填物１８を内部に受けた補助フレーム２０及び造形ボックス１０は、その後、この実施形態に係る開包工程において離間され、それにより、造形ボックス１０が次の造形作業のために自由になる。この実施形態によれば、その際、多孔質プレート形状構造体１５は、粒子材料充填物１８及び補助フレーム２０と共に、造形ボックス１０から相対的に離間される。図示のように、構成要素１６を含む粒子材料充填物１８を内部に受けた補助フレーム２０は、例えば、造形ボックス１０から側方へ離間されてもよい。図示のように、構成要素１６を含む粒子材料充填物１８を内部に受けた補助フレーム２０は、例えば、粒子材料収集装置３０の垂直上方の位置へ移動されてもよい。随意的に、多孔質プレート形状構造体１５が補助フレームに対してロックされてもよい。しかしながら、これは必須ではなく、多孔質プレート形状構造体１５は、例えば、粒子材料収集装置３０によって、例えばその多孔質粒子材料排出構造体３２によって支持されてもよい。
【０１２０】
図１ｂによって示唆されるように、補助フレーム２０の側方移動中に粒子材料が補助フレーム２０から多孔質プレート形状構造体１５を通じて粒子材料収集装置３０内へ下向きに既に排出されてもよい。図３ｂに示される補助フレーム２０の第２の位置では、更なる粒子材料が補助フレーム２０から多孔質プレート形状構造体１５を通じて粒子材料収集装置３０内へ下向きに既に排出されてもよい。随意的に、構成要素１６が吹き込み装置３６を用いて更に吹き払われ／吹き飛び除去されてもよい。
【０１２１】
その結果、構成要素１６が粒子材料充填物１８から少なくとも部分的に開包される。
【０１２２】
最終的に、開包された構成要素１６が補助フレーム２０から除去される。これは、例えば、随意的な構成要素移送ステーション４０を用いて行なわれてもよい。
【０１２３】
図４ａ及び図４ｂにより示唆されるように、少なくとも部分的に開包された構成要素１６は、例えば、この目的のために多孔質プレート形状構造体１５及び補助フレーム２０と共に粒子材料収集装置３０から構成要素移送ステーション４０へ移動されてもよく、該ステーションでは構成要素１６及び多孔質プレート形状構造体１５が補助フレーム２０から分離される。
【０１２４】
この目的のため、堆積構造体４２が例えば粒子材料収集装置３０の高さまで移動されてもよく（図４ａ参照）、また、少なくとも部分的に開包された構成要素１６が、その後、多孔質プレート形状構造体１５及び補助フレーム２０と共に粒子材料収集装置３０から構成要素移送ステーション４０へ移動されてもよい。その後、図４ｂにより示唆されるように、堆積構造体４２が下降されてもよく、それにより、補助フレーム２０が自由になって、構成要素１６及び多孔質プレート形状構造体１５が補助フレーム２０から分離される。
【０１２５】
図５ａにより示されるように、補助フレーム２０は、随意的に、多孔質プレート形状構造体１５を捕えるためにその第４の位置へ移動されてもよい。
【０１２６】
図５ｂにより示されるように、補助フレーム２０は、その後、多孔質プレート形状構造体１５を造形ボックス１０へ取り込むために再び第１の位置へ移動されてもよい。
【０１２７】
図５ａ及び図５ｂにより更に例示されるように、構成要素１６は、例えば多孔質プレート形状構造体１５と共に、例えば構成要素移送ステーション４０から構成要素ストック５０へ供給されてもよい。
【０１２８】
前述した工程ステップの１つ以上又は全てが自動化方式で行なわれてもよい。
【０１２９】
したがって、前述の方法を用いると、１つ以上の構成要素を容易に、確実に、及び、迅速に、すなわち、既存の／一般的な造形ボックスを使用して、つまり、造形ボックス、例えばその造形プラットフォームを後付けする又は再建する必要なく開包できる。
【０１３０】
図６〜図１３は、本発明の第２の実施形態に係る開包装置及び開包方法を示す。
【０１３１】
可能な限り、既に記載された特徴を再び説明しないものとし、また、本発明の第１の実施形態に係る開包装置及び開包方法に対する違いについて主に説明するものとする。
【０１３２】
図６〜図１３には、搬送システム１９、補助フレーム２０のガイド構造体２４、清浄化装置２６、吹き込み装置３６、及び、棚５２などの第１の実施形態の特定の要素が示されないが、これらの要素がこの実施形態でも同様に含まれてもよいことが理解されるべきである。
【０１３３】
第１の実施形態に対する１つの違いは、第２の実施形態によれば、造形工程前に造形ボックス１０に多孔質プレート形状構造体１５が設けられず、それにより、少なくとも１つ（ここでは、一例として３つ）の構成要素の製造後に多孔質プレート形状構造体１５が充填物１８と造形プラットフォーム１４との間に配置されないことである。
【０１３４】
代わりに、この実施形態にしたがって例えば「外部」多孔質プレート形状構造体１５’が使用されてもよく、工程の過程で「外部」多孔質プレート形状構造体の上側に補助フレーム２０が構成要素１６を含む粒子材料充填物１８を内部に受けた状態で配置され、又は、むしろ「外部」多孔質プレート形状構造体の上側で補助フレーム２０が相対的に移動される。
【０１３５】
「外部」多孔質プレート形状構造体１５’は、例えば、造形ボックス１０の側方に該造形ボックスの上縁領域とほぼ同じ高さで隣接して配置されてもよい。この点において、例えば、補助フレーム２０は、粒子材料充填物１８の移送時に多孔質プレート形状構造体１５’の垂直上側の位置へ向けて側方に移動（図９参照）されてもよい。
【０１３６】
第２の実施形態に係る開包工程では、最初に、図６に示されるように、第１の実施形態と同様、補助フレーム２０は、その垂直周壁構造体２２が造形ボックス１０の垂直周壁構造体１２の垂直上側に配置され、その後、図８に示されるように、造形プラットフォーム１４が上方へ移動され、それにより、構成要素１６を含む粒子材料充填物１８が造形ボックス１０から補助フレーム２０へ移送されて補助フレーム内に受けられ、その後、図９に示されるように、構成要素１６を含む粒子材料充填物１８を伴う補助フレーム２０と造形ボックス１０とが離間され、それにより、造形ボックス１０が新たな造形作業のために自由になり、その後、図１１に示されるように、構成要素が粒子材料充填物から少なくとも部分的に開包され、最終的に、図１３に示されるように、構成要素１６が補助フレーム２０から除去される。
【０１３７】
第２の実施形態によれば、既に言及して図９に示されるように、補助フレーム２０は、例えば、構成要素１６を含む粒子材料充填物１８を内部に受けた状態で（外部）多孔質プレート形状構造体１５’の垂直上側に配置されてもよい。
【０１３８】
構成要素１６を含む粒子材料充填物１８を内部に受けた補助フレーム２０を多孔質プレート形状構造体１５’の上に移動させた後、図１０に示されるように例えば多孔質プレート形状構造体１５’及び補助フレーム２０が一緒に粒子材料収集装置３０の上に移動されてもよい。この点において、少なくとも１つの構成要素１６は、粒子材料が補助フレーム２０から多孔質プレート形状構造体１５’を通じて粒子材料収集装置３０内に下向きに垂れ落ちることによって少なくとも部分的に開包されてもよい。これについては図１１を参照されたい。
【０１３９】
その後、最終的に、少なくとも１つの開包された構成要素１６が補助フレーム２０から除去される。これは、例えば、随意的な構成要素移送ステーション４０によって行なわれる（或いは、構成要素１６が例えば補助フレームの上側開口を通じて除去されてもよい）。
【０１４０】
図１２及び図１３により示唆されるように、少なくとも部分的に開包された構成要素１６は、この目的のために多孔質プレート形状構造体１５及び補助フレーム２０と共に粒子材料収集装置３０から構成要素移送ステーション４０へ移動されてもよく、該ステーションでは構成要素１６及び多孔質プレート形状構造体１５が補助フレーム２０から分離される。
【０１４１】
この目的のため、堆積構造体４２が例えば粒子材料収集装置３０と同じ高さで配置され／移動されてもよく（図１２参照）、また、少なくとも部分的に開包された構成要素１６が、その後、多孔質プレート形状構造体１５’及び補助フレーム２０と共に粒子材料収集装置３０から構成要素移送ステーション４０へ移動されてもよい。その後、図１３により示唆されるように、堆積構造体４２が下降されてもよく、それにより、補助フレーム２０が自由になり、或いはむしろ、構成要素１６及び多孔質プレート形状構造体１５’が補助フレーム２０から分離される。
【０１４２】
図９に示される多孔質プレート形状構造体１５’の垂直上側の位置への補助フレーム２０の側方移動中に補助フレーム２０から多孔質プレート形状構造体１５’を通じた粒子材料の排出を減らすために、多孔質プレート形状構造体１５’の開口が例えば粒子材料で満たされてもよく及び／又は覆われてもよい。これが図６〜図９に示される。これにより、多孔質プレート形状構造体１５’に対する相対的な移動中に、少なくとも１つの構成要素が多孔質プレート形状構造体に擦り付くことにより損傷されることを回避できる。図６及び図７に示されるように、粒子材料、例えば砂は、粒子材料容器２９から多孔質プレート形状構造体１５’上に置かれてもよく、また、例えば補助フレームが粒子材料の山を前方へ押し進めることによって多孔質プレート形状構造体の上に広げられてもよく、それにより、多孔質プレート形状構造体１５’の開口が粒子材料で満たされてもよい。この際、一例として、プレート構造体２８が多孔質プレート形状構造体１５’の下側に配置され、このプレート構造体２８により、多孔質プレート形状構造体１５’の開口が覆われて、相対移動中に粒子材料が下方へ垂れ落ちることが防止される。
【０１４３】
多孔質プレート形状構造体１５’は、例えば、図７に示される位置から図１２に示される位置へのその移動のために水平リニアアクチュエータによって駆動されてもよい。図１２に示される位置において、多孔質プレート形状構造体１５’は、例えば、多孔質プレート形状構造体１５’を構成要素１６と共に下降させることができるようにするために駆動機構から分離されてもよい。
【０１４４】
図１４〜図２１は、本発明の第３の実施形態に係る開包装置及び開包方法を示す。
【０１４５】
可能な限り、既に記載された特徴を再び説明しないものとし、また、本発明の第１及び第２の実施形態に係る開包装置及び開包方法に対する違いについて主に説明するものとする。
【０１４６】
図１４〜図２１には、搬送システム１９、補助フレーム２０のガイド構造体２４、清浄化装置２６、吹き込み装置３６、及び、ラック５２などの第１の実施形態の特定の要素が示されないが、これらの要素が第３の実施形態でも同様に含まれてもよいことが理解されるべきである。
【０１４７】
第２の実施形態の場合と同様に、第３の実施形態も「外部」多孔質プレート形状構造体１５’を使用し、工程の過程で「外部」多孔質プレート形状構造体の上側に補助フレーム２０が構成要素１６を含む粒子材料充填物１８を内部に受けた状態で配置され、又は、「外部」多孔質プレート形状構造体の上側で補助フレーム２０が相対的に移動される。
【０１４８】
第３の実施形態に係る開包工程では、第１及び第２の実施形態と同様に、最初に、図１４に示されるように、補助フレーム２０は、その垂直周壁構造体２２が造形ボックス１０の垂直周壁構造体１２の垂直上側に配置され、その後、図１６に示されるように、造形プラットフォーム１４が上方へ移動され、それにより、構成要素１６を含む粒子材料充填物１８が造形ボックス１０から補助フレーム２０へ移送されて補助フレーム内に受けられ、その後、図１７に示されるように、構成要素１６を含む粒子材料充填物１８を内部に受けた補助フレーム２０と造形ボックス１０とが離間され、それにより、造形ボックス１０が新たな造形作業のために自由になり、その後、図１９に示されるように、構成要素１６が粒子材料充填物１８から少なくとも部分的に開包され、最終的に、図２１に示されるように、構成要素１６が補助フレーム２０から除去される。
【０１４９】
第２の実施形態の場合以外に、第３の実施形態に係る多孔質プレート形状構造体１５’は、粒子材料収集装置３０の上側に既に配置される。
【０１５０】
また、第３の実施形態では移動可能なプッシャプレート２８’が設けられ、このプッシャプレート２８’は、補助フレーム２０と多孔質プレート形状構造体１５’との間の相対的な側方移動中に多孔質プレート形状構造体１５’の開口を覆う。これについては例えば図１７を参照されたい。図１８に示されるように、多孔質プレート形状構造体１５’の開口は、その後、構成要素１６の少なくとも部分的な開包を可能にするためにプッシャプレート２８’によって露出されてもよい。これについては図１９を参照されたい。その後、プッシャプレート２８’がその開始位置へ戻されてもよい。これについては図２１を参照されたい。
【０１５１】
その後、少なくとも１つの開包された構成要素１６が補助フレーム２０から除去される。これは、例えば、随意的な構成要素移送ステーション４０を用いて行なわれてもよい。
【０１５２】
この際、これに関連して図２０及び図２１により示唆されるステップは、図１２及び図１３に示されるステップにほぼ対応する。
【０１５３】
図２２〜図２８は、本発明の第４の実施形態に係る開包装置及び開包方法を示す。
【０１５４】
可能な限り、既に記載された特徴を再び説明しないものとし、また、本発明の第１、第２、及び、第３の実施形態に係る開包装置及び開包方法に対する違いについて主に説明するものとする。
【０１５５】
図２２〜図２８には、搬送システム１９、補助フレーム２０のガイド構造体２４、清浄化装置２６、吹き込み装置３６、及び、ラック５２などの第１の実施形態の特定の要素が示されないが、これらの要素が第４の実施形態でも同様に含まれてもよいことが理解されるべきである。
【０１５６】
第２及び第３の実施形態の場合と同様に、第４の実施形態も「外部」多孔質プレート形状構造体１５’を使用し、工程の過程で「外部」多孔質プレート形状構造体の上側に補助フレーム２０が構成要素１６を含む粒子材料充填物１８を内部に受けた状態で配置され、又は、「外部」多孔質プレート形状構造体の上側で補助フレーム２０が相対的に移動される。
【０１５７】
第４の実施形態に係る開包工程では、第１、第２、及び、第３の実施形態と同様に、最初に、図２２に示されるように、補助フレーム２０は、その垂直周壁構造体２２が造形ボックス１０の垂直周壁構造体１２の垂直上側に配置され、その後、図２３に示されるように、造形プラットフォーム１４が上方へ移動され、それにより、構成要素１６を含む粒子材料充填物１８が造形ボックス１０から補助フレーム２０へ移送されて補助フレーム内に受けられ、その後、図２４に示されるように、構成要素１６を含む粒子材料充填物１８を内部に受けた補助フレーム２０と造形ボックス１０とが離間され、それにより、造形ボックス１０が新たな造形作業のために自由になり、その後、図２６に示されるように、構成要素１６が粒子材料充填物１８から少なくとも部分的に開包され、最終的に、図２８に示されるように、構成要素１６が補助フレーム２０から除去される。
【０１５８】
第３の実施形態の場合と同様に、第４の実施形態に係る多孔質プレート形状構造体１５’は、粒子材料収集装置３０の上側に既に配置される。
【０１５９】
第３の実施形態の場合以外に、補助フレーム２０と多孔質プレート形状構造体１５’との間の相対的な側方移動中に多孔質プレート形状構造体１５’の開口を覆う第４の実施形態の移動可能なプッシャプレート２８”は、多孔質プレート形状構造体１５’の上側に配置される。これについては、例えば図２２〜図２４を参照されたい。したがって、充填物１８は、最初に多孔質プレート形状構造体１５’上に直接に載置せず、最初にプッシャプレート２８”上に載置する。図２５により示されるように、多孔質プレート形状構造体１５’の開口は、構成要素１６の少なくとも部分的な開包を可能にするためにプッシャプレート２８”によって露出されてもよい。これについては図２６を参照されたい。その後、プッシャプレート２８’がその開始位置へ再び戻されてもよい。これについては図２８を参照されたい。
【０１６０】
その後、最終的に、少なくとも１つの開包された構成要素１６が補助フレーム２０から除去される。これは、例えば、随意的な構成要素移送ステーション４０を用いて行なわれてもよい。
【０１６１】
この際、これに関連して図２７及び図２８により示唆されるステップは、図１２及び図１３並びに図２０及び図２１のそれぞれに示されるステップにほぼ対応する。
【０１６２】
図示しない他の実施形態によれば、開包方法は、例えば、（内部又は外部）多孔質プレート形状構造体１５，１５’をそれぞれ伴うことなく行なわれてもよい。この目的のため、図１４の構成にほぼ対応する構成が選択されてもよく、多孔質プレート形状構造体１５’及びプッシャプレート２８’が除かれる・省かれる。この点において、補助フレーム２０は、構成要素１６を含む充填物１８の移送時に（図１６及び図１７により示唆されるように、しかしながら、多孔質プレート形状構造体１５’及びプッシャプレート２８’を伴わずに）粒子材料収集装置３０の上に右の方へ移動されてもよい。この際、粒子材料収集装置３０の多孔質粒子材料排出構造体３２が構成要素を保持してもよく、それにより、その後に例えば補助フレーム２０の上側開口を通じて又は補助フレーム２０が上方へ離間されてしまった後（この場合、補助フレームは、例えば、異なる方法で案内されてもよく又は全く案内されなくてもよい）にこれらの構成要素を簡単に多孔質粒子材料排出構造体３２から除去できる。
【０１６３】
図示しない別の実施形態によれば、補助フレーム２０は、例えば、高さ調整可能なプラットフォームの上に側方へ移動されてもよい。この点において、高さ調整可能なプラットフォームは、図１４における粒子材料収集装置３０、多孔質構造体１５’、及び、プッシャプレート２８’の構成全体に取って代わってもよく、或いは、最初に上方へ移動されてもよい。プラットフォームが下降されれば、粒子材料が側方へ垂れ落ちる。加えて、粒子材料は、吸引及び／又は払い落とし／側方への拭き取りによって吹き払われ及び／又は回収されてもよい。
【０１６４】
図示しない更なる別の実施形態によれば、補助フレーム２０は、例えば、開包テーブルへ向けて側方へ移動されてもよく、その際、補助フレーム２０は単に上方へ離間され、それにより、充填物１８が側方へ「崩れ落ち」、その際に構成要素１６が除去されてもよい。
【０１６５】
図示しない更なる別の実施形態によれば、補助フレーム２０は、例えば、収集タンクに通じるスライドの垂直上側で横に移動されてもよく、それにより、充填物１８がスライドに沿って収集タンク内へ垂れ落ち／滑り込み、その際に、構成要素１６が収集タンクから除去されてもよい。
【０１６６】
以上の説明から分かるように、補助フレームで受けられる構成要素を粒子材料充填物から少なくとも部分的に開包できるとともに構成要素を補助フレームから除去できる（先の説明から分かるように、「開包」工程及び「除去」工程は、同時に行なわれてもよく、重なり合ってもよく、又は、互いとは別個に行なわれてもよい）様々な可能性がある。この点において、粒子材料充填物を造形ボックスから補助フレーム内へ移送することにより、造形ボックスを迅速に解放することができ、加えて、補助フレームで受けられる構成要素を少なくとも部分的に粒子材料充填物から容易に、確実に、及び、迅速に開包できる。この点において、造形ボックスを変更する必要がない。
【０１６７】
本発明の特定の例示的な実施形態の前述の記載は、例示及び説明の目的で与えられてきた。前述の記載は、包括的であるように又は本発明を開示された正にその形態に限定するように意図されず、先の教示内容に照らして明らかに多くの改変及び変更が可能である。本発明の範囲は、本明細書に添付の特許請求の範囲及びそれらの等価物によって規定されるべきである。
【図１ａ】
2017536259.tif 000003
【図１ｂ】
2017536259.tif 000004
【図２ａ】
2017536259.tif 000005
【図２ｂ】
2017536259.tif 000006
【図３ａ】
2017536259.tif 000007
【図３ｂ】
2017536259.tif 000008
【図４ａ】
2017536259.tif 000009
【図４ｂ】
2017536259.tif 000010
【図５ａ】
2017536259.tif 000011
【図５ｂ】
2017536259.tif 000012
【図６】
2017536259.tif 000013
【図７】
2017536259.tif 000014
【図８】
2017536259.tif 000015
【図９】
2017536259.tif 000016
【図１０】
2017536259.tif 000017
【図１１】
2017536259.tif 000018
【図１２】
2017536259.tif 000019
【図１３】
2017536259.tif 000020
【図１４】
2017536259.tif 000021
【図１５】
2017536259.tif 000022
【図１６】
2017536259.tif 000023
【図１７】
2017536259.tif 000024
【図１８】
2017536259.tif 000025
【図１９】
2017536259.tif 000026
【図２０】
2017536259.tif 000027
【図２１】
2017536259.tif 000028
【図２２】
2017536259.tif 000029
【図２３】
2017536259.tif 000030
【図２４】
2017536259.tif 000031
【図２５】
2017536259.tif 000032
【図２６】
2017536259.tif 000033
【図２７】
2017536259.tif 000034
【図２８】
2017536259.tif 000035
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
未固結粒子材料の粒子材料充填物（１８）から生成造形方法を用いて生成される構成要素（１６）を開包するための方法であって、前記充填物が前記構成要素と共に受け入れ空間内に配置され、前記受け入れ空間は、造形ボックス（１０）における上方向で開口する垂直周壁構造体（１２）によって外周が制限されており、高さ調整可能な造形プラットフォーム（１４）が前記造形ボックス内に受けられ、前記造形プラットフォーム上には前記構成要素を含む前記粒子材料充填物が配置される、方法において、
下方で開口する垂直周壁構造体（２２）を有するとともに前記構成要素（１６）を含む前記粒子材料充填物（１８）を受けるように構成される補助フレーム（２０）が、前記造形ボックス（１０）の前記垂直周壁構造体（１２）の垂直上側に配置され、
前記造形プラットフォーム（１４）が上方へ移動され、それにより、前記構成要素（１６）を含む前記粒子材料充填物（１８）が前記造形ボックス（１０）から前記補助フレーム（２０）へ移送されて前記補助フレーム内に受けられ、
前記構成要素（１６）を含む前記粒子材料充填物（１８）を内部に受けた前記補助フレーム（２０）と前記造形ボックス（１０）とが互いに離間され、それにより、前記造形ボックスが後続の造形作業のために自由になり、
前記構成要素（１６）は、前記粒子材料充填物（１８）から少なくとも部分的に開包されて前記補助フレーム（２０）から除去される、
方法。
【請求項２】
プレート形状構造体が前記造形ボックス（１０）内で前記造形プラットフォーム（１４）と前記構成要素（１６）を含む前記粒子材料充填物（１８）との間に配置され、
前記プレート形状構造体は、その上に配置され前記構成要素（１６）を含む前記粒子材料充填物（１８）と一緒に、前記造形ボックス（１０）から前記補助フレーム（２０）へ移送されるとともに、前記粒子材料充填物（１８）及び前記補助フレーム（２０）と一緒に前記造形ボックス（１０）から相対的に離間される、請求項１に記載の方法。
【請求項３】
前記構成要素（１６）を含む前記粒子材料充填物（１８）を内部に受けた前記補助フレーム（２０）と前記造形ボックス（１０）とは、互いに側方へ相対的に離間される、請求項１又は２に記載の方法。
【請求項４】
前記構成要素（１６）を含む前記粒子材料充填物（１８）を内部に受けた前記補助フレーム（２０）は、プレート形状構造体の垂直上側に配置される、請求項３に記載の方法。
【請求項５】
前記プレート形状構造体は、粒子材料収集装置（３０）の上側に配置され、又は、
前記構成要素（１６）を含む前記粒子材料充填物（１８）を内部に受けた前記補助フレーム（２０）は、最初に前記プレート形状構造体の上に移動された後、前記プレート形状構造体と共に前記粒子材料収集装置（３０）の上に移動される、請求項４に記載の方法。
【請求項６】
前記プレート形状構造体は多孔質であり、前記補助フレーム（２０）からの粒子材料の排出を減らすために、前記補助フレーム（２０）と前記多孔質プレート形状構造体（１５’）との間の相対的な側方移動中に前記多孔質プレート形状構造体（１５’）の貫通穴が粒子材料で満たされ及び／又は覆われる、請求項４又は５に記載の方法。
【請求項７】
前記構成要素（１６）を含む前記粒子材料充填物（１８）は、前記粒子材料充填物からの前記構成要素の前記少なくとも部分的な開包中に、多孔質プレート形状構造体（１５，１５’）上に配置される、請求項１〜６のいずれか一項に記載の方法。
【請求項８】
前記少なくとも部分的に開包された構成要素（１６）は、前記多孔質プレート形状構造体（１５，１５’）及び前記補助フレーム（２０）と共に構成要素移送ステーション（４０）へ移動され、この構成要素移送ステーションで前記構成要素及び前記多孔質プレート形状構造体が前記補助フレームから分離される、請求項７に記載の方法。
【請求項９】
前記造形ボックス（１０）は、工程の初めに粒子材料収集装置（３０）の隣の造形ボックス開包位置に配置され、前記補助フレーム（２０）は、ガイド構造体（２４）に沿って、前記造形ボックス開包位置から前記粒子材料収集装置へ移動でき／移動される、請求項１〜８のいずれか一項に記載の方法。
【請求項１０】
前記補助フレーム（２０）の前記垂直周壁構造体（２２）は、上方で更に開口し、及び／又は、
前記補助フレーム（２０）の前記垂直周壁構造体（２２）は、前記造形ボックス（１０）の前記垂直周壁構造体（１２）の高さ以上の高さを有し、及び／又は、
前記補助フレーム（２０）の前記垂直周壁構造体（２２）により制限される空間と前記造形ボックス（１０）の前記垂直周壁構造体（１２）により制限される空間とが水平断面で同じ形状及び／又は同じサイズを有し、及び／又は、
前記補助フレーム（２０）には、前記補助フレームが前記構成要素を含む前記粒子材料充填物を内部に受けた状態で前記造形ボックス（１０）に対して側方に移動される間に、上方に移動された前記造形プラットフォーム（１４）を清浄化するように構成される清浄化装置（２６）が設けられる、請求項１〜９のいずれか一項に記載の方法。
【請求項１１】
前記補助フレームを前記造形ボックスの前記垂直周壁構造体の上側に配置するステップ、前記造形プラットフォームを上方へ移動させるステップ、前記補助フレームと前記造形ボックスとを互いに離間させるステップ、前記構成要素を少なくとも部分的に開包するステップ、前記構成要素と前記補助フレームとを互いに除去するステップ、前記造形ボックスを粒子材料収集装置の隣の造形ボックス開包位置に最初に配置するステップ、前記開包された構成要素を前記多孔質プレート形状構造体及び前記補助フレームと共に構成要素移送ステーションへ移動させるステップ、前記構成要素及び前記多孔質プレート形状構造体を前記補助フレームから分離するステップ、及び、前記開包された構成要素を構成要素ストックへ供給するステップのうちの少なくとも１つが、自動化方式で行なわれる、請求項１〜１０のいずれか一項に記載の方法。
【請求項１２】
請求項１〜１１のいずれか一項に記載されるように製造される構成要素を開包するための方法と組み合わせて、生成造形工程を用いて１つ以上の構成要素（１６）を生成するための方法であって、
前記生成造形方法において、全ての前記構成要素（１６）は、平面視で、前記造形ボックス（１０）により形成される造形空間内で互いに隣接して生成され、及び／又は、
前記構成要素（１６）若しくは前記構成要素のうちの１つ以上又は全部は、前記生成造形方法においてそれぞれの前記構成要素と共に形成されるそれぞれの支持構造体又は保持構造体を備え、それにより、前記構成要素を開包するときに、それぞれの前記構成要素の損傷及び／又は前記構成要素による１つ以上の開口の被覆が回避される、
方法。
【請求項１３】
請求項１〜１１のいずれか一項に記載されるように生成される構成要素を開包するための方法と組み合わせて、生成造形法を用いて１つ以上の構成要素（１６）を生成するための方法であって、前記１つ以上の構成要素は、可動造形ボックス（１０）における上方で開口する垂直周壁構造体（１２）により外周が制限される造形空間内で生成され、高さ調整可能な造形プラットフォーム（１４）が前記造形ボックス（１０）内に受けられ、前記造形プラットフォームは、前記造形法を使用して前記造形プラットフォームの上側で前記構成要素を含む粒子材料充填物（１８）を形成するために造形工程の過程で下降される、方法において、
前記造形工程の前にプレート形状構造体（１５）が前記可動造形ボックス（１０）の前記造形プラットフォーム（１４）上に配置され、前記プレート形状構造体は、前記１つ以上の構成要素の生成後にこれらの構成要素の開包のために、前記造形プラットフォームを上方へ移動させることによって前記構成要素を含む前記粒子材料充填物と共に前記造形ボックスから除去され得るとともに、補助フレーム（２０）内へ移送され得る、方法。
【請求項１４】
未固結粒子材料の粒子材料充填物（１８）から生成造形方法を用いて生成される構成要素（１６）を開包するための装置（１００）であって、前記充填物が前記構成要素と共に受け入れ空間内に配置され、前記受け入れ空間は、可動造形ボックス（１０）における上方で開口する垂直周壁構造体（１２）によって外周が制限され、高さ調整可能な造形プラットフォーム（１４）が前記造形ボックス内に受けられ、前記造形プラットフォーム上には前記構成要素を含む前記粒子材料充填物が配置され、前記可動造形ボックスが造形ボックス開包位置に移動され得る、装置（１００）において、
下方で開口する垂直周壁構造体（２２）を有するとともに、第１の位置から第２の位置へガイド構造体（２４）に沿って移動できる補助フレーム（２０）であって、前記第１の位置では、前記可動造形ボックスの前記造形ボックス開包位置へ移動された前記可動造形ボックス（１０）の前記垂直周壁構造体（１２）の垂直上側に配置される、補助フレーム（２０）と、
前記補助フレームが前記第２の位置に配置されるときに前記補助フレーム（２０）の垂直下方に配置される粒子材料収集装置（３０）と、
を備える、装置（１００）。
【請求項１５】
構成要素移送ステーション（４０）であって、前記補助フレーム（２０）が前記ガイド構造体（２４）に沿って前記第１の位置から前記第２の位置を介して第３の位置へ移動でき、前記第３の位置で前記補助フレームが前記構成要素移送ステーションの垂直上側に配置される、構成要素移送ステーション（４０）を更に備える、請求項１４に記載の装置（１００）。
【請求項１６】
請求項１〜１１のいずれか一項に記載の方法の１つ以上のステップ又は全てのステップを自動化方式で実行するように構成される制御装置
を更に備える、請求項１４又は１５に記載の装置（１００）。
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
未固結粒子材料の粒子材料充填物（１８）から生成造形方法を用いて生成される構成要素（１６）を開包するための方法であって、前記充填物が前記構成要素と共に受け入れ空間内に配置され、前記受け入れ空間は、造形ボックス（１０）における上方向で開口する垂直周壁構造体（１２）によって外周が制限されており、高さ調整可能な造形プラットフォーム（１４）が前記造形ボックス内に受けられ、前記造形プラットフォーム上には前記構成要素を含む前記粒子材料充填物が配置される、方法において、
下方で開口する垂直周壁構造体（２２）を有するとともに前記構成要素（１６）を含む前記粒子材料充填物（１８）を受けるように構成される補助フレーム（２０）が、前記造形ボックス（１０）の前記垂直周壁構造体（１２）の垂直上側に配置され、
前記造形プラットフォーム（１４）が上方へ移動され、それにより、前記構成要素（１６）を含む前記粒子材料充填物（１８）が前記造形ボックス（１０）から前記補助フレーム（２０）へ移送されて前記補助フレーム内に受けられ、
前記構成要素（１６）を含む前記粒子材料充填物（１８）を内部に受けた前記補助フレーム（２０）と前記造形ボックス（１０）とが互いに離間され、それにより、前記造形ボックスが後続の造形作業のために自由になり、
前記構成要素（１６）は、前記粒子材料充填物（１８）から少なくとも部分的に開包されて前記補助フレーム（２０）から除去され、
プレート形状構造体が前記造形ボックス（１０）内で前記造形プラットフォーム（１４）と前記構成要素（１６）を含む前記粒子材料充填物（１８）との間に配置され、
前記プレート形状構造体は、その上に配置され前記構成要素（１６）を含む前記粒子材料充填物（１８）と一緒に、前記造形ボックス（１０）から前記補助フレーム（２０）へ移送されるとともに、前記粒子材料充填物（１８）及び前記補助フレーム（２０）と一緒に前記造形ボックス（１０）から相対的に離間される、方法。
【請求項２】
未固結粒子材料の粒子材料充填物（１８）から生成造形方法を用いて生成される構成要素（１６）を開包するための方法であって、前記充填物が前記構成要素と共に受け入れ空間内に配置され、前記受け入れ空間は、造形ボックス（１０）における上方向で開口する垂直周壁構造体（１２）によって外周が制限されており、高さ調整可能な造形プラットフォーム（１４）が前記造形ボックス内に受けられ、前記造形プラットフォーム上には前記構成要素を含む前記粒子材料充填物が配置される、方法において、
下方で開口する垂直周壁構造体（２２）を有するとともに前記構成要素（１６）を含む前記粒子材料充填物（１８）を受けるように構成される補助フレーム（２０）が、前記造形ボックス（１０）の前記垂直周壁構造体（１２）の垂直上側に配置され、
前記造形プラットフォーム（１４）が上方へ移動され、それにより、前記構成要素（１６）を含む前記粒子材料充填物（１８）が前記造形ボックス（１０）から前記補助フレーム（２０）へ移送されて前記補助フレーム内に受けられ、
前記構成要素（１６）を含む前記粒子材料充填物（１８）を内部に受けた前記補助フレーム（２０）と前記造形ボックス（１０）とが互いに離間され、それにより、前記造形ボックスが後続の造形作業のために自由になり、
前記構成要素（１６）は、前記粒子材料充填物（１８）から少なくとも部分的に開包されて前記補助フレーム（２０）から除去され、
前記構成要素（１６）を含む前記粒子材料充填物（１８）を内部に受けた前記補助フレーム（２０）と前記造形ボックス（１０）とは、互いに側方へ相対的に離間され、
前記構成要素（１６）を含む前記粒子材料充填物（１８）を内部に受けた前記補助フレーム（２０）は、プレート形状構造体の垂直上側に配置され、
前記プレート形状構造体は多孔質であり、前記補助フレーム（２０）からの粒子材料の排出を減らすために、前記補助フレーム（２０）と前記多孔質プレート形状構造体（１５’）との間の相対的な側方移動中に前記多孔質プレート形状構造体（１５’）の貫通穴が粒子材料で満たされ及び／又は覆われる、方法。
【請求項３】
前記プレート形状構造体は、粒子材料収集装置（３０）の上側に配置され、又は、
前記構成要素（１６）を含む前記粒子材料充填物（１８）を内部に受けた前記補助フレーム（２０）は、最初に前記プレート形状構造体の上に移動された後、前記プレート形状構造体と共に前記粒子材料収集装置（３０）の上に移動される、請求項１〜２のいずれか一項に記載の方法。
【請求項４】
未固結粒子材料の粒子材料充填物（１８）から生成造形方法を用いて生成される構成要素（１６）を開包するための方法であって、前記充填物が前記構成要素と共に受け入れ空間内に配置され、前記受け入れ空間は、造形ボックス（１０）における上方向で開口する垂直周壁構造体（１２）によって外周が制限されており、高さ調整可能な造形プラットフォーム（１４）が前記造形ボックス内に受けられ、前記造形プラットフォーム上には前記構成要素を含む前記粒子材料充填物が配置される、方法において、
下方で開口する垂直周壁構造体（２２）を有するとともに前記構成要素（１６）を含む前記粒子材料充填物（１８）を受けるように構成される補助フレーム（２０）が、前記造形ボックス（１０）の前記垂直周壁構造体（１２）の垂直上側に配置され、
前記造形プラットフォーム（１４）が上方へ移動され、それにより、前記構成要素（１６）を含む前記粒子材料充填物（１８）が前記造形ボックス（１０）から前記補助フレーム（２０）へ移送されて前記補助フレーム内に受けられ、
前記構成要素（１６）を含む前記粒子材料充填物（１８）を内部に受けた前記補助フレーム（２０）と前記造形ボックス（１０）とが互いに離間され、それにより、前記造形ボックスが後続の造形作業のために自由になり、
前記構成要素（１６）は、前記粒子材料充填物（１８）から少なくとも部分的に開包されて前記補助フレーム（２０）から除去され、
前記構成要素（１６）を含む前記粒子材料充填物（１８）は、前記粒子材料充填物からの前記構成要素の前記少なくとも部分的な開包中に、多孔質プレート形状構造体（１５，１５’）上に配置され、
前記少なくとも部分的に開包された構成要素（１６）は、前記多孔質プレート形状構造体（１５，１５’）及び前記補助フレーム（２０）と共に構成要素移送ステーション（４０）へ移動され、この構成要素移送ステーションで前記構成要素及び前記多孔質プレート形状構造体が前記補助フレームから分離される、方法。
【請求項５】
前記造形ボックス（１０）は、工程の初めに粒子材料収集装置（３０）の隣の造形ボックス開包位置に配置され、前記補助フレーム（２０）は、ガイド構造体（２４）に沿って、前記造形ボックス開包位置から前記粒子材料収集装置へ移動でき／移動される、請求項１〜４のいずれか一項に記載の方法。
【請求項６】
前記補助フレーム（２０）の前記垂直周壁構造体（２２）は、上方で更に開口し、及び／又は、
前記補助フレーム（２０）の前記垂直周壁構造体（２２）は、前記造形ボックス（１０）の前記垂直周壁構造体（１２）の高さ以上の高さを有し、及び／又は、
前記補助フレーム（２０）の前記垂直周壁構造体（２２）により制限される空間と前記造形ボックス（１０）の前記垂直周壁構造体（１２）により制限される空間とが水平断面で同じ形状及び／又は同じサイズを有し、及び／又は、
前記補助フレーム（２０）には、前記補助フレームが前記構成要素を含む前記粒子材料充填物を内部に受けた状態で前記造形ボックス（１０）に対して側方に移動される間に、上方に移動された前記造形プラットフォーム（１４）を清浄化するように構成される清浄化装置（２６）が設けられる、請求項１〜５のいずれか一項に記載の方法。
【請求項７】
前記補助フレームを前記造形ボックスの前記垂直周壁構造体の上側に配置するステップ、前記造形プラットフォームを上方へ移動させるステップ、前記補助フレームと前記造形ボックスとを互いに離間させるステップ、前記構成要素を少なくとも部分的に開包するステップ、前記構成要素と前記補助フレームとを互いに除去するステップ、前記造形ボックスを粒子材料収集装置の隣の造形ボックス開包位置に最初に配置するステップ、及び、前記開包された構成要素を構成要素ストックへ供給するステップのうちの少なくとも１つが、自動化方式で行なわれる、請求項１〜６のいずれか一項に記載の方法。
【請求項８】
前記開包された構成要素を前記多孔質プレート形状構造体及び前記補助フレームと共に構成要素移送ステーションへ移動させるステップ、前記構成要素及び前記多孔質プレート形状構造体を前記補助フレームから分離するステップのうちの少なくとも１つが、自動化方式で行なわれる、請求項４に記載の方法。
【請求項９】
請求項１〜８のいずれか一項に記載されるように製造される構成要素を開包するための方法と組み合わせて、生成造形工程を用いて１つ以上の構成要素（１６）を生成するための方法であって、
前記生成造形方法において、全ての前記構成要素（１６）は、平面視で、前記造形ボックス（１０）により形成される造形空間内で互いに隣接して生成され、及び／又は、
前記構成要素（１６）若しくは前記構成要素のうちの１つ以上又は全部は、前記生成造形方法においてそれぞれの前記構成要素と共に形成されるそれぞれの支持構造体又は保持構造体を備え、それにより、前記構成要素を開包するときに、それぞれの前記構成要素の損傷及び／又は前記構成要素による１つ以上の開口の被覆が回避される、方法。
【請求項１０】
請求項１〜８のいずれか一項に記載されるように生成される構成要素を開包するための方法と組み合わせて、生成造形法を用いて１つ以上の構成要素（１６）を生成するための方法であって、前記１つ以上の構成要素は、可動造形ボックス（１０）における上方で開口する垂直周壁構造体（１２）により外周が制限される造形空間内で生成され、高さ調整可能な造形プラットフォーム（１４）が前記造形ボックス（１０）内に受けられ、前記造形プラットフォームは、前記造形法を使用して前記造形プラットフォームの上側で前記構成要素を含む粒子材料充填物（１８）を形成するために造形工程の過程で下降される、方法において、
前記造形工程の前にプレート形状構造体（１５）が前記可動造形ボックス（１０）の前記造形プラットフォーム（１４）上に配置され、前記プレート形状構造体は、前記１つ以上の構成要素の生成後にこれらの構成要素の開包のために、前記造形プラットフォームを上方へ移動させることによって前記構成要素を含む前記粒子材料充填物と共に前記造形ボックスから除去され得るとともに、補助フレーム（２０）内へ移送され得る、方法。
【請求項１１】
未固結粒子材料の粒子材料充填物（１８）から生成造形方法を用いて生成される構成要素（１６）を開包するための装置（１００）であって、前記充填物が前記構成要素と共に受け入れ空間内に配置され、前記受け入れ空間は、可動造形ボックス（１０）における上方で開口する垂直周壁構造体（１２）によって外周が制限され、高さ調整可能な造形プラットフォーム（１４）が前記造形ボックス内に受けられ、前記造形プラットフォーム上には前記構成要素を含む前記粒子材料充填物が配置され、前記可動造形ボックスが造形ボックス開包位置に移動され得る、装置（１００）において、
下方で開口する垂直周壁構造体（２２）を有するとともに、第１の位置から第２の位置へガイド構造体（２４）に沿って移動できる補助フレーム（２０）であって、前記第１の位置では、前記可動造形ボックスの前記造形ボックス開包位置へ移動された前記可動造形ボックス（１０）の前記垂直周壁構造体（１２）の垂直上側に配置される、補助フレーム（２０）と、
前記補助フレームが前記第２の位置に配置されるときに前記補助フレーム（２０）の垂直下方に配置される粒子材料収集装置（３０）と、
を備え、
構成要素移送ステーション（４０）であって、前記補助フレーム（２０）が前記ガイド構造体（２４）に沿って前記第１の位置から前記第２の位置を介して第３の位置へ移動でき、前記第３の位置で前記補助フレームが前記構成要素移送ステーションの垂直上側に配置される、構成要素移送ステーション（４０）を更に備える、装置（１００）。
【請求項１２】
請求項１〜８のいずれか一項に記載の方法の１つ以上のステップ又は全てのステップを自動化方式で実行するように構成される制御装置を更に備える、請求項１１に記載の装置（１００）。
【国際調査報告】
2017536259.tif 000036
2017536259.tif 000037
2017536259.tif 000038
2017536259.tif 000039
2017536259.tif 000040
2017536259.tif 000041